(57)【要約】【課題】カメラ付携帯端末などでの撮影画像に対して当該撮影画像に応じた文字列情報を簡単に対応付けして管理するための画像サーバを提供する。【解決手段】通信情報機器２０Ａ〜２０Ｄにて撮影した画像と撮影日のデータを画像サーバ１０に送信すると、画像サーバ１０では、受信された撮影日に基づき季語情報・季語テーブルに記憶されている季語から該季語画像を含む登録済みの撮影画像が画像データメモリから読み出され、撮影画像との類似度が算出されることで当該受信画像に対応する季語が判定される。そして受信画像に対応する季語と画像に対応付けられて季語別画像Ｎｏ・俳句データメモリに登録済みの俳句が読み出され、当該季語・登録済み撮影画像・俳句のデータが通信情報機器２０Ａ〜２０Ｄに送信される。通信情報機器２０Ａ〜２０Ｄでは登録済み撮影画像・俳句を表示参照して自身の撮影画像に応じた俳句を容易に作成し登録できる。【選択図】    図１
2004240579.tif 000002
【特許請求の範囲】
【請求項１】
季語を含む俳句文字列と画像とを対応付けて複数記憶する俳句画像記憶手段と、
外部の通信機器から画像を受信する画像受信手段と、
この画像受信手段により受信された画像についての日付情報を取得する日付取得手段と、
日付情報に対応する季語を記憶する季語記憶手段と、
前記日付取得手段により取得された日付情報に対応する季語を前記季語記憶手段により記憶された季語の中から読み出す季語読み出し手段と、
この季語読み出し手段により読み出された季語に対応する画像を前記俳句画像記憶手段により記憶された複数の画像の中から読み出す季語画像読み出し手段と、
この季語画像読み出し手段により読み出された季語に対応する画像の中から前記画像受信手段により受信された画像に類似する季語対応画像を抽出する画像抽出手段と、
この画像抽出手段により抽出された季語対応画像に対応付けられた俳句文字列を前記俳句画像記憶手段により記憶された複数の俳句文字列の中から読み出し、前記通信機器に送信する俳句文字列送信手段と、
を備えたことを特徴とする画像サーバ。
【請求項２】
前記俳句文字列送信手段は、前記画像抽出手段により抽出された季語対応画像と共に、当該季語対応画像に対応付けられた俳句文字列を前記俳句画像記憶手段により記憶された複数の俳句文字列の中から読み出し、前記通信機器に送信する、
ことを特徴とする請求項１に記載の画像サーバ。
【請求項３】
さらに、
前記俳句文字列送信手段により通信機器に送信された俳句文字列について、当該通信機器から選択情報を受信する俳句選択受信手段と、
この俳句選択受信手段により受信された選択情報により選択された俳句文字列を前記画像受信手段により受信された画像と対応付けて、前記俳句画像記憶手段により複数記憶される俳句文字列と画像の１つとして登録する受信画像登録手段と、
を備えたことを特徴とする請求項１または請求項２に記載の画像サーバ。
【請求項４】
前記画像抽出手段は、前記季語画像読み出し手段により読み出された季語に対応する画像の中からその季語画像部分について前記画像受信手段により受信された画像に類似する季語対応画像を抽出する、
ことを特徴とする請求項１乃至請求項３の何れか１項に記載の画像サーバ。
【請求項５】
前記画像抽出手段は、
前記季語画像読み出し手段により読み出された季語に対応する画像の中からその季語画像部分について前記画像受信手段により受信された画像に類似する季語対応画像を抽出する第１の画像抽出手段と、
この第１の画像抽出手段により抽出された、季語対応画像の全体画像を対象として前記画像受信手段により受信された画像に類似する季語対応画像を抽出する第２の画像抽出手段と、
を備えていることを特徴とする請求項１乃至請求項３の何れか１項に記載の画像サーバ。
【請求項６】
さらに、
前記画像抽出手段により、前記季語画像読み出し手段により読み出された季語に対応する画像の中からその季語画像部分について前記画像受信手段により受信された画像に類似する季語対応画像を抽出した際に、当該季語対応画像の季語画像部分と類似した受信画像の中の季語画像部分に枠を設定する枠設定手段と、
この枠設定手段により受信画像の中の季語画像部分に対応して設定された枠の情報を前記通信機器へ送信する枠情報送信手段と、
を備えたことを特徴とする請求項４または請求項５に記載の画像サーバ。
【請求項７】
さらに、
前記画像抽出手段により抽出された季語対応画像に対応する季語を前記通信機器へ送信する季語送信手段を備えたことを特徴とする請求項４乃至請求項６の何れか１項に記載の画像サーバ。
【請求項８】
前記季語記憶手段は、日付情報に対応する季語およびその説明情報を記憶し、
前記季語送信手段は、前記画像抽出手段により抽出された季語対応画像に対応する季語およびその説明情報を前記通信機器へ送信する、
ことを特徴とする請求項７に記載の画像サーバ。
【請求項９】
さらに、
外部の通信機器から季語の指定情報を受信する指定季語受信手段と、
この指定季語受信手段により受信された指定の季語に対応して、前記俳句画像記憶手段により記憶された当該指定の季語を含む俳句文字列と画像を読み出して前記通信機器へ送信する指定季語俳句画像送信手段と、
を備えたことを特徴とする請求項１乃至請求項９の何れか１項に記載の画像サーバ。
【請求項１０】
画像を位置情報に対応付けて複数記憶する画像位置情報記憶手段と、
この画像位置情報記憶手段により記憶された各画像に対応付けて関連する文字列を記憶する関連文字列記憶手段と、
外部の通信機器から画像および位置情報を受信する画像位置情報受信手段と、
前記画像位置情報記憶手段により記憶された画像のうち、前記画像位置情報受信手段により受信された位置情報に対応する画像であって、且つ受信された画像に類似する画像を抽出する画像抽出手段と、
この画像抽出手段により抽出された画像に対応付けられて前記関連文字列記憶手段により記憶された関連文字列を読み出し、前記通信機器に送信する関連文字列送信手段と、
を備えたことを特徴とする画像サーバ。
【請求項１１】
さらに、
前記関連文字列送信手段により通信機器に送信された関連文字列について、当該通信機器から選択情報を受信する選択受信手段と、
この選択受信手段により受信された選択情報により選択された関連文字列を前記画像位置情報受信手段により受信された画像と対応付けて、前記画像位置情報記憶手段により複数記憶される画像と位置情報および前記関連文字列記憶手段により記憶される関連する文字列の１つとして登録する受信画像登録手段と、
を備えたことを特徴とする請求項１０に記載の画像サーバ。
【請求項１２】
画像を日時情報に対応付けて複数記憶する画像日時情報記憶手段と、
この画像日時情報記憶手段により記憶された各画像に対応付けて関連する文字列を記憶する関連文字列記憶手段と、
外部の通信機器から画像および日時情報を受信する画像日時情報受信手段と、
前記画像日時情報記憶手段により記憶された画像のうち、前記画像日時情報受信手段により受信された日時情報に対応する画像であって、且つ受信された画像に類似する画像を抽出する画像抽出手段と、
この画像抽出手段により抽出された画像に対応付けられて前記関連文字列記憶手段により記憶された関連文字列を読み出し、前記通信機器に送信する関連文字列送信手段と、
を備えたことを特徴とする画像サーバ。
【請求項１３】
さらに、
前記関連文字列送信手段により通信機器に送信された関連文字列について、当該通信機器から選択情報を受信する選択受信手段と、
この選択受信手段により受信された選択情報により選択された関連文字列を前記画像日時情報受信手段により受信された画像と対応付けて、前記画像日時情報記憶手段により複数記憶される画像と日時情報および前記関連文字列記憶手段により記憶される関連する文字列の１つとして登録する受信画像登録手段と、
を備えたことを特徴とする請求項１２に記載の画像サーバ。
【請求項１４】
前記関連文字列送信手段は、前記画像抽出手段により抽出された画像と共に、当該画像に対応付けられた関連文字列を前記関連文字列記憶手段により記憶された関連文字列の中から読み出し、前記通信機器に送信する、ことを特徴とする請求項１０乃至請求項１３の何れか１項に記載の画像サーバ。
【請求項１５】
画像サーバのコンピュータを制御するための画像サーバ制御プログラムであって、
前記コンピュータを、
季語を含む俳句文字列と画像とを対応付けて複数記憶する俳句画像記憶手段、
外部の通信機器から画像を受信する画像受信手段、
この画像受信手段により受信された画像についての日付情報を取得する日付取得手段、
日付情報に対応する季語を記憶する季語記憶手段、
前記日付取得手段により取得された日付情報に対応する季語を前記季語記憶手段により記憶された季語の中から読み出す季語読み出し手段、
この季語読み出し手段により読み出された季語に対応する画像を前記俳句画像記憶手段により記憶された複数の画像の中から読み出す季語画像読み出し手段、
この季語画像読み出し手段により読み出された季語に対応する画像の中から前記画像受信手段により受信された画像に類似する季語対応画像を抽出する画像抽出手段、
この画像抽出手段により抽出された季語対応画像に対応付けられた俳句文字列を前記俳句画像記憶手段により記憶された複数の俳句文字列の中から読み出し、前記通信機器に送信する俳句文字列送信手段、
として機能させるようにしたコンピュータ読み込み可能な画像サーバ制御プログラム。
【請求項１６】
画像サーバのコンピュータを制御するための画像サーバ制御プログラムであって、
前記コンピュータを、
画像を位置情報に対応付けて複数記憶する画像位置情報記憶手段、
この画像位置情報記憶手段により記憶された各画像に対応付けて関連する文字列を記憶する関連文字列記憶手段、
外部の通信機器から画像および位置情報を受信する画像位置情報受信手段、
前記画像位置情報記憶手段により記憶された画像のうち、前記画像位置情報受信手段により受信された位置情報に対応する画像であって、且つ受信された画像に類似する画像を抽出する画像抽出手段、
この画像抽出手段により抽出された画像に対応付けられて前記関連文字列記憶手段により記憶された関連文字列を読み出し、前記通信機器に送信する関連文字列送信手段、
として機能させるようにしたコンピュータ読み込み可能な画像サーバ制御プログラム。
【請求項１７】
画像サーバのコンピュータを制御するための画像サーバ制御プログラムであって、
前記コンピュータを、
画像を日時情報に対応付けて複数記憶する画像日時情報記憶手段、
この画像日時情報記憶手段により記憶された各画像に対応付けて関連する文字列を記憶する関連文字列記憶手段、
外部の通信機器から画像および日時情報を受信する画像日時情報受信手段、
前記画像日時情報記憶手段により記憶された画像のうち、前記画像日時情報受信手段により受信された日時情報に対応する画像であって、且つ受信された画像に類似する画像を抽出する画像抽出手段、
この画像抽出手段により抽出された画像に対応付けられて前記関連文字列記憶手段により記憶された関連文字列を読み出し、前記通信機器に送信する関連文字列送信手段、
として機能させるようにしたコンピュータ読み込み可能な画像サーバ制御プログラム。
【発明の詳細な説明】
【０００１】
【発明の属する技術分野】
本発明は、カメラ付携帯端末などにおいて撮影された撮影画像に対して当該撮影画像に応じた文字列情報を簡単に対応付けして登録するための画像サーバおよび画像サーバ制御プログラムに関する。
【０００２】
【従来の技術】
従来、各種のスチルカメラやビデオカメラにおいて、撮影した画像に対しその撮影日時を合成して保存したり、撮影画像に応じたコメントをキー入力あるいは手書き入力により合成して保存したりするものがある。
【０００３】
例えば撮影フレームの固定した位置に内蔵タイマにより計時されている日時の文字列を合成して出力するものや、撮影後にキー入力あるいは手書き入力したコメントなどの自由な文字列を撮影画像に対応付けて登録した後に、再生の際には、撮影フレーム内の所定の位置に合成して出力するものなどが実用されている。
【０００４】
また、デジタルカメラにより撮影された画像をパーソナルコンピュータの表示画面上に表示させて、当該画像に関連する文字列情報を対応付けして編集することもできるが、この場合にも文字列情報はキー入力あるいは手書き入力により対応付けされて編集保存される。
【０００５】
（例えば、特許文献１参照。）
【０００６】
【特許文献１】
特開平１０−２７６３９７号公報
【０００７】
【発明が解決しようとする課題】
しかしながら、このような従来の画像処理システムでは、各撮影画像についての所望の全文字列情報を一々ユーザ自身により考えて書き込んで対応付けしなければならず、写真集として保存したり記録したりするのに非常に面倒な問題がある。
【０００８】
本発明は、前記のような問題に鑑みてなされたもので、撮影などにより得られた画像に対して当該画像に応じた文字列情報を簡単に対応付けして管理することが可能になる画像サーバおよび画像サーバ制御プログラムを提供することを目的とする。
【０００９】
【課題を解決するための手段】
すなわち、本発明の請求項１に係る画像サーバでは、季語を含む俳句文字列と画像とを対応付けて複数記憶する俳句画像記憶手段を有し、画像受信手段により外部の通信機器から送信された画像が受信されると、この受信された画像についての日付情報が日付取得手段により取得されると共に、この取得された日付情報に対応する季語が季語記憶手段により記憶された季語の中から季語読み出し手段により読み出される。すると、この読み出された季語に対応して前記俳句画像記憶手段により記憶されている画像が季語画像読み出し手段により読み出され、この読み出された季語に対応する画像の中から前記受信画像に類似する季語対応画像が画像抽出手段により抽出される。そして、この抽出された季語対応画像に対応付けられた俳句文字列が前記俳句画像記憶手段により記憶された複数の俳句文字列の中から読み出され、俳句文字列送信手段によって前記通信機器に送信される。
【００１０】
これによれば、カメラ付携帯電話などの通信機器から受信された撮影画像について、その日付に対応する季語を含む俳句文字列に対応付けられた画像が読み出されると共に、この季語対応画像の中から受信画像に類似の画像が抽出され、この抽出された季語対応画像に対応付けられた俳句文字列が前記受信画像に対応する季語の俳句文字列として通信機器に送信されるので、通信機器ではその撮影画像に対応する季語の俳句文字列を簡単に参照できることになる。
【００１１】
また、本発明の請求項２に係る画像サーバでは、前記請求項１に係る画像サーバにあって、画像抽出手段により抽出された季語対応画像と共に、当該季語対応画像に対応付けられた俳句文字列が前記俳句画像記憶手段により記憶された複数の俳句文字列の中から読み出され、俳句文字列送信手段によって通信機器に送信される。
【００１２】
これによれば、通信機器ではその撮影画像に対応する季語の俳句文字列とその季語対応画像とを簡単に参照できることになる。
【００１３】
また、本発明の請求項３に係る画像サーバでは、前記請求項１または請求項２に係る画像サーバにあって、さらに、前記俳句文字列送信手段により通信機器に送信された俳句文字列について、俳句選択受信手段により当該通信機器から選択情報が受信されると、この受信選択情報にて選択された俳句文字列が前記画像受信手段により受信された画像と対応付けられて、受信画像登録手段によって前記俳句画像記憶手段により複数記憶される俳句文字列と画像の１つとして登録される。
【００１４】
これによれば、通信機器でその撮影画像に対応する季語の俳句文字列を簡単に参照そして選択された俳句文字列を該画像に対応付けてサーバで登録できることになる。
【００１５】
また、本発明の請求項４に係る画像サーバでは、前記請求項１乃至請求項３の何れか１項に係る画像サーバにあって、前記画像抽出手段では、前記季語画像読み出し手段により読み出された季語に対応する画像の中からその季語画像部分について前記画像受信手段により受信された画像に類似する季語対応画像が抽出される。
【００１６】
これによれば、受信画像の日付に対応した季語を含む俳句文字列を対応付けた画像の中から、その季語の画像部分について前記受信画像に類似しているとされる季語対応画像が抽出されるので、確実に受信画像に対応する季語の画像部分を有する季語対応画像から、これに対応付けられた俳句文字列を通信機器へ送信できることになる。
【００１７】
また、本発明の請求項５に係る画像サーバでは、前記請求項１乃至請求項３の何れか１項に係る画像サーバにあって、前記画像抽出手段では、まず第１の画像抽出手段により、前記季語画像読み出し手段により読み出された季語に対応する画像の中からその季語画像部分について前記画像受信手段により受信された画像に類似する季語対応画像が抽出され、第２の画像抽出手段により、前記第１の画像抽出手段により抽出された、季語対応画像の全体画像を対象として前記画像受信手段により受信された画像に類似する季語対応画像が抽出される。
【００１８】
これによれば、受信画像の日付に対応した季語を含む俳句文字列を対応付けた画像の中から、その季語の画像部分について前記受信画像に類似しているとされる季語対応画像が抽出され、さらに、この季語の画像部分について類似しているとして抽出された季語対応画像の全体画像を対象として前記受信画像に類似しているとされる季語対応画像が抽出されるので、より確実に受信画像に対応する季語の画像部分を有し且つ全体としても類似する季語対応画像から、これに対応付けられた俳句文字列を通信機器へ送信できることになる。
【００１９】
また、本発明の請求項６に係る画像サーバでは、前記請求項４または請求項５に係る画像サーバにあって、さらに、前記画像抽出手段によって、前記季語画像読み出し手段により読み出された季語に対応する画像の中からその季語画像部分について前記画像受信手段により受信された画像に類似する季語対応画像を抽出した際には、枠設定手段により当該季語対応画像の季語画像部分と類似した受信画像の中の季語画像部分に枠が設定され、この枠設定により受信画像の中の季語画像部分に対応して設定された枠の情報が枠情報送信手段によって前記通信機器へ送信される。
【００２０】
これによれば、通信機器では、その撮影画像中の季語画像部分に枠を設定して表示できることになる。
【００２１】
また、本発明の請求項７に係る画像サーバでは、前記請求項４乃至請求項６の何れか１項に係る画像サーバにあって、さらに、前記画像抽出手段により抽出された季語対応画像に対応する季語が季語送信手段によって前記通信機器へ送信される。
【００２２】
これによれば、通信機器では、その撮影画像に対応する季語を容易に知ることができることになる。
【００２３】
また、本発明の請求項８に係る画像サーバでは、前記請求項７に記載の画像サーバにあって、前記季語記憶手段には、日付情報に対応する季語およびその説明情報が記憶され、前記画像抽出手段により抽出された季語対応画像に対応する季語およびその説明情報が季語送信手段によって前記通信機器へ送信される。
【００２４】
これによれば、通信機器では、その撮影画像に対応する季語およびその説明情報を容易に知ることができることになる。
【００２５】
また、本発明の請求項９に係る画像サーバでは、前記請求項１乃至請求項９の何れか１項に係る画像サーバにあって、指定季語受信手段により外部の通信機器から季語の指定情報が受信されると、この受信された指定の季語に対応して、前記俳句画像記憶手段により記憶された当該指定の季語を含む俳句文字列と画像が読み出され指定季語俳句画像送信手段により前記通信機器へ送信される。
【００２６】
これによれば、通信機器からの季語の指定によって、当該指定の季語を含む俳句文字列とその対応画像が通信機器に送信され、当該通信機器にて季語を指定した登録画像およびその俳句を閲覧できることになる。
【００２７】
また、本発明の請求項１０に係る画像サーバでは、画像を位置情報に対応付けて複数記憶する画像位置情報記憶手段と、この画像位置情報記憶手段により記憶された各画像に対応付けて関連する文字列を記憶する関連文字列記憶手段とを有し、画像位置情報受信手段により外部の通信機器から画像および位置情報が受信されると、前記画像位置情報記憶手段により記憶された画像のうち、前記画像位置情報受信手段により受信された位置情報に対応する画像であって、且つ受信された画像に類似する画像が画像抽出手段により抽出される。そして、この画像抽出手段により抽出された画像に対応付けられて前記関連文字列記憶手段により記憶された関連文字列が読み出され、関連文字列送信手段により前記通信機器に送信される。
【００２８】
これによれば、通信機器において取得された例えば撮影位置に固有の画像に対し対応付けるための関連する文字列を、画像サーバから簡単に取り込んで参照できることになる。
【００２９】
また、本発明の請求項１１に係る画像サーバでは、前記請求項１０に係る画像サーバにあって、さらに、前記関連文字列送信手段により通信機器に送信された関連文字列について、選択受信手段により当該通信機器から選択情報が受信されると、この受信選択情報にて選択された関連文字列が前記画像位置情報受信手段により受信された画像と対応付けられて、受信画像登録手段によって前記画像位置情報記憶手段により複数記憶される画像と位置情報および前記関連文字列記憶手段により記憶される関連する文字列の１つとして登録される。
【００３０】
これによれば、通信機器ではその撮影位置に応じた画像に対応する関連文字列を簡単に参照そして選択して該画像に対応付けて登録できることになる。
【００３１】
また、本発明の請求項１２に係る画像サーバでは、画像を日時情報に対応付けて複数記憶する画像日時情報記憶手段と、この画像日時情報記憶手段により記憶された各画像に対応付けて関連する文字列を記憶する関連文字列記憶手段とを有し、画像日時情報受信手段により外部の通信機器から画像および日時情報が受信されると、前記画像日時情報記憶手段により記憶された画像のうち、前記画像日時情報受信手段により受信された日時情報に対応する画像であって、且つ受信された画像に類似する画像が画像抽出手段により抽出される。そして、この画像抽出手段により抽出された画像に対応付けられて前記関連文字列記憶手段により記憶された関連文字列が読み出され、関連文字列送信手段により前記通信機器に送信される。
【００３２】
これによれば、通信機器において取得された例えば撮影日時に特有の画像に対し対応付けるための関連する文字列を、画像サーバから簡単に取り込んで参照できることになる。
【００３３】
また、本発明の請求項１３に係る画像サーバでは、前記請求項１２に係る画像サーバにあって、さらに、前記関連文字列送信手段により通信機器に送信された関連文字列について、選択受信手段により当該通信機器から選択情報が受信されると、この受信選択情報にて選択された関連文字列が前記画像日時情報受信手段により受信された画像と対応付けられて、受信画像登録手段によって前記画像日時情報記憶手段により複数記憶される画像と日時情報および前記関連文字列記憶手段により記憶される関連する文字列の１つとして登録される。
【００３４】
これによれば、通信機器でその撮影日時に応じた画像に対応する関連文字列を簡単に参照そして選択して該画像に対応付けてサーバに登録できることになる。
【００３５】
また、本発明の請求項１４に係る画像サーバでは、前記請求項１０乃至請求項１３の何れか１項に係る画像サーバにあって、画像抽出手段により抽出された画像と共に、当該画像に対応付けられた関連文字列が前記関連文字列記憶手段により記憶された関連文字列の中から読み出され、関連文字列送信手段によって通信機器に送信される。
【００３６】
これによれば、通信機器において取得された画像に対し対応付けるための関連する文字列とその登録済み画像とを簡単に参照できることになる。
【００３７】
また、本発明の請求項１５に係る画像サーバ制御プログラムでは、当該プログラムを画像サーバのコンピュータにインストールすることで、この画像サーバのコンピュータにおいて、季語を含む俳句文字列と画像とを対応付けて複数記憶する俳句画像記憶手段を有し、画像受信手段により外部の通信機器から送信された画像が受信されると、この受信された画像についての日付情報が日付取得手段により取得されると共に、この取得された日付情報に対応する季語が季語記憶手段により記憶された季語の中から季語読み出し手段により読み出される。すると、この読み出された季語に対応して前記俳句画像記憶手段により記憶されている画像が季語画像読み出し手段により読み出され、この読み出された季語に対応する画像の中から前記受信画像に類似する季語対応画像が画像抽出手段により抽出される。そして、この抽出された季語対応画像に対応付けられた俳句文字列が前記俳句画像記憶手段により記憶された複数の俳句文字列の中から読み出され、俳句文字列送信手段によって前記通信機器に送信される。
【００３８】
これによれば、画像サーバでは、カメラ付携帯電話などの通信機器から受信された撮影画像について、その日付に対応する季語を含む俳句文字列に対応付けられた画像が読み出されると共に、この季語対応画像の中から受信画像に類似の画像が抽出され、この抽出された季語対応画像に対応付けられた俳句文字列が前記受信画像に対応する季語の俳句文字列として通信機器に送信されるので、通信機器ではその撮影画像に対応する季語の俳句文字列を簡単に参照できることになる。
【００３９】
また、本発明の請求項１６に係る画像サーバ制御プログラムでは、当該プログラムを画像サーバのコンピュータにインストールすることで、この画像サーバのコンピュータにおいて、画像を位置情報に対応付けて複数記憶する画像位置情報記憶手段と、この画像位置情報記憶手段により記憶された各画像に対応付けて関連する文字列を記憶する関連文字列記憶手段とを有し、画像位置情報受信手段により外部の通信機器から画像および位置情報が受信されると、前記画像位置情報記憶手段により記憶された画像のうち、前記画像位置情報受信手段により受信された位置情報に対応する画像であって、且つ受信された画像に類似する画像が画像抽出手段により抽出される。そして、この画像抽出手段により抽出された画像に対応付けられて前記関連文字列記憶手段により記憶された関連文字列が読み出され、関連文字列送信手段により前記通信機器に送信される。
【００４０】
これによれば、通信機器において取得された例えば撮影位置に固有の画像に対し対応付けるための関連する文字列を、画像サーバから簡単に取り込んで参照できることになる。
【００４１】
また、本発明の請求項１７に係る画像サーバ制御プログラムでは、当該プログラムを画像サーバのコンピュータにインストールすることで、この画像サーバのコンピュータにおいて、画像を日時情報に対応付けて複数記憶する画像日時情報記憶手段と、この画像日時情報記憶手段により記憶された各画像に対応付けて関連する文字列を記憶する関連文字列記憶手段とを有し、画像日時情報受信手段により外部の通信機器から画像および日時情報が受信されると、前記画像日時情報記憶手段により記憶された画像のうち、前記画像日時情報受信手段により受信された日時情報に対応する画像であって、且つ受信された画像に類似する画像が画像抽出手段により抽出される。そして、この画像抽出手段により抽出された画像に対応付けられて前記関連文字列記憶手段により記憶された関連文字列が読み出され、関連文字列送信手段により前記通信機器に送信される。
【００４２】
これによれば、通信機器において取得された例えば撮影日時に特有の画像に対し対応付けるための関連する文字列を、画像サーバから簡単に取り込んで参照できることになる。
【００４３】
【発明の実施の形態】
以下、図面を参照して本発明の実施の形態について説明する。
【００４４】
（第１実施形態）
図１は、本発明の実施形態に係る画像サーバ１０を備えた画像登録サービスシステムの全体の構成を示すブロック図である。
【００４５】
この画像登録サービスシステムは、インターネットなどの通信ネットワークＮに接続された画像サーバ１０を備え、この画像サーバ１０には通信ネットワークＮに接続された各種の通信情報機器２０Ａ〜２０Ｄからアクセスする。
【００４６】
通信情報機器２０Ａ〜２０Ｄとしては、例えばデジタルカメラ付きの携帯電話（カメラ付携帯電話）２０Ａ、カメラ無携帯電話２０Ｂ、ＰＤＡ（ｐｅｒｓｏｎａｌ  ｄｉｇｉｔａｌ  ａｓｓｉｓｔａｎｔｓ）２０Ｃ、ＰＣ（ｐｅｒｓｏｎａｌ  ｃｏｍｐｕｔｅｒ）２０Ｄがある。カメラ付携帯電話２０Ａやカメラ無携帯電話２０Ｂは、通信基地局３０から通信ネットワークＮに接続されて前記画像サーバ１０へアクセスされる。ＰＤＡ２０Ｃは、例えば当該ＰＤＡ２０Ｃに内蔵されたＢｌｕｅｔｏｏｔｈなどの近距離通信部によって接続可能な予め必要な地点に設置されたホットスポット（近距離無線通信装置）４０から通信ネットワークＮを介して前記画像サーバ１０へアクセスされる。ＰＣ２０Ｄは、当該ＰＣ２０Ｄを登録した図示しない接続装置によって通信ネットワークＮに接続され前記画像サーバ１０へアクセスされる。
【００４７】
画像サーバ１０は、本発明の第１実施形態において、撮影などにより取得された画像と当該画像の撮影日に関連した季語を含む俳句とを対応付けて登録する機能を有し、本発明の第２実施形態において、撮影などにより取得された画像と当該画像の撮影日時や撮影場所に応じたコメントとを対応付けて登録する機能を有する。
【００４８】
図２は前記画像登録サービスシステムにおける画像サーバ１０の電子回路の構成を示すブロック図である。
【００４９】
画像サーバ１０は、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌ  ｐｒｏｃｅｓｓｉｎｇ  ｕｎｉｔ）１１が備えられる。
【００５０】
ＣＰＵ１１は、メモリ１２内のＲＯＭ１２Ａに予め記憶されたサーバ制御プログラム、あるいはＣＤ−ＲＯＭなどの外部記録媒体１３から記録媒体読取部１４を介して前記メモリ１２に読み込まれたサーバ制御プログラム、あるいは通信ネットワーク（インターネット）Ｎ上の他のＷｅｂサーバ（この場合はプログラムサーバ）から電送制御部１５を介して前記メモリ１２に読み込まれたサーバ制御プログラムに応じて、回路各部の動作を制御するもので、前記メモリ１２に記憶されたサーバ制御プログラムは、伝送制御部１５を介して接続される通信ネットワークＮ上の各通信情報機器２０Ａ〜２０Ｄからの通信信号、あるいはキーやタッチパネルからなる入力部１６からのオペレータ操作に応じた入力信号に応じて起動される。
【００５１】
前記ＣＰＵ１１には、前記メモリ１２、記録媒体読取部１４、電送制御部１５、入力部１６が接続される他に、ＬＣＤやＣＲＴからなる表示部１７などが接続される。
【００５２】
メモリ１２内のＲＯＭ１２Ａには、当該画像サーバ１０の全体の動作を司るシステムプログラムや電送制御部１５を介して通信ネットワークＮ上の各通信情報機器２０Ａ〜２０Ｄとデータ通信するための通信プログラムが記憶される他に、前記電送制御部１５を介して通信接続される各通信情報機器２０Ａ〜２０Ｄから取得された画像に対して、当該画像の撮影日に関連した季語を含む俳句を対応付けて登録する処理などを行うための俳句画像処理プログラム１２ａ（第１実施形態）、当該画像の撮影日時や撮影場所に応じたコメントとを対応付けて登録する処理などを行うための位置画像処理プログラム１２ｆ（第２実施形態）などが記憶される。
【００５３】
また、このメモリ１２内のＲＡＭ１２Ｂには、季語別画像Ｎｏ．俳句データメモリ１２ｂ（図３（Ａ）参照）、画像データメモリ１２ｃ（図３（Ｂ）参照）、季節情報・季語テーブル１２ｄ（図４参照）が用意され、さらにワークエリア１２ｅなどが用意される。なお、本発明の第２実施形態において、メモリ１２内のＲＡＭ１２Ｂには、位置別画像・コメントデータメモリ１２ｇ（図１７参照）が用意される。
【００５４】
図３は前記画像サーバ１０のＲＡＭ１２Ｂに用意される季語別画像Ｎｏ．俳句データメモリ１２ｂおよび画像データメモリ１２ｃのそれぞれに記憶されるデータの内容を示す図である。
【００５５】
この図３（Ａ）および図３（Ｂ）に示すように、季語別画像Ｎｏ．俳句データメモリ１２ｂおよび画像データメモリ１２ｃには、例えば当該画像サーバ１０に会員登録された各通信情報機器２０Ａ〜２０Ｄとのアクセスに基づき収集された多数の画像データのそれぞれに対して、当該各画像の撮影日、撮影日および画像内容に関連した季語、当該季語を含んだ俳句、画像撮影者、俳句作者が対応付けられて記憶される。各撮影画像は、画像データメモリ１２ｃに各画像Ｎｏ．が対応付けられて記憶され、季語別画像Ｎｏ．俳句データメモリ１２ｂには、前記各画像Ｎｏ．に対応付けられて当該画像の撮影日、季語、俳句、画像撮影者、俳句作者が記憶される。
【００５６】
なお、画像データメモリ１２ｃに記憶される各画像データそれぞれの季語に対応する部分（季語画像部分）には点線枠が付加されて記憶される。
【００５７】
図４は前記画像サーバ１０のＲＡＭ１２Ｂに用意される季節情報・季語テーブル１２ｄに記憶されるデータの内容を示す図である。
【００５８】
この図４に示すように、季節情報・季語テーブル１２ｄには、季節名（春夏秋冬）とその該当月の組み合わせからなる季節情報のそれぞれに対応した各種の季語が予め記憶されると共に、各季語に応じた画像（季語画像部分）を含む画像データの画像Ｎｏ．が対応付けられて記憶される。
【００５９】
図５は前記画像登録サービスシステムにおける通信情報機器（カメラ付携帯電話）２０Ａの電子回路の構成を示すブロック図である。
【００６０】
なお、この画像登録サービスシステムにおける各通信情報機器２０Ａ〜２０Ｄそれぞれの電子回路の構成は、デジタルカメラの有無や画像サーバ１０との通信の種別を除いて何れも略同様の構成であるため、ここではカメラ付携帯電話２０Ａの構成についてのみ当該図５を参照して説明する。
【００６１】
カメラ付携帯電話２０Ａは、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌｐｒｏｃｅｓｓｉｎｇ  ｕｎｉｔ）２１が備えられる。
【００６２】
ＣＰＵ２１は、メモリ２２内のＲＯＭ２２Ａに予め記憶された通信機器制御プログラム、あるいはＣＤ−ＲＯＭやＲＯＭカードなどの外部記録媒体２３から記録媒体読取部２４を介して前記メモリ２２に読み込まれた通信機器制御プログラム、あるいは通信ネットワーク（インターネット）Ｎ上のＷｅｂサーバ（この場合はプログラムサーバ）から携帯通信部２５を介して前記メモリ２２に読み込まれた通信機器制御プログラムに応じて、回路各部の動作を制御するもので、前記メモリ２２に記憶された通信機器制御プログラムは、キーやタッチパネルからなる入力部２６からのユーザ操作に応じた入力信号、あるいは画像撮影部（デジタルカメラ）２９から入力される画像信号、あるいは携帯通信部２５を介して接続される通信ネットワークＮ上の画像サーバ１０など各Ｗｅｂサーバとの通信信号、あるいは近距離通信部（Ｂｌｕｅｔｏｏｔｈ／有線）２８を介して接続される画像サーバ１０との通信信号、あるいは位置検出部［ＧＰＳ（ｇｌｏｂａｌ  ｐｏｓｉｔｉｏｎｉｎｇ  ｓｙｓｔｅｍ）］５０からの本カメラ付携帯電話２０Ａの移動に応じた現在位置検出信号に応じて起動される。
【００６３】
前記ＣＰＵ２１には、前記メモリ２２、記録媒体読取部２４、携帯通信部２５、入力部２６、画像撮影部２９、近距離通信部２８、位置検出部５０が接続される他に、ＬＣＤからなる表示部２７などが接続される。
【００６４】
メモリ２２内のＲＯＭ２２Ａには、当該カメラ付携帯電話２０Ａの全体の動作を司るシステムプログラムや携帯通信部２５を介して通信ネットワーク（インターネット）Ｎ上にある画像サーバ１０などの各Ｗｅｂサーバとデータ通信するための通信プログラム、近距離通信部２８を介してその通信範囲内に存在するホットスポット（近距離無線通信装置）４０から画像サーバ１０とデータ通信するための近距離通信プログラムが記憶される他に、画像撮影部２９から入力された撮影画像に基づいた前記画像サーバ１０へのアクセスにより、撮影画像と当該画像の撮影日に関連した季語を含む俳句とを対応付けて登録するための端末用の俳句画像処理プログラム２２ａ（第１実施形態）、撮影画像と当該画像の撮影日時や撮影場所に応じたコメントとを対応付けて登録するための端末用の位置画像処理プログラム２２ｅ（第２実施形態）などが記憶される。
【００６５】
前記メモリ２２のＲＡＭ２２Ｂには、例えば撮影画像に対応付けて自作した俳句を記憶するための自作俳句データメモリ２２ｂ、画像撮影部２９により撮影された各画像データが記憶される撮影画像データメモリ２２ｃ、さらにワークエリア２２ｄなどが用意される。
【００６６】
なお、本発明の第２実施形態において、メモリ１２内のＲＡＭ１２Ｂには、位置検出部５０により検出された現在位置データ（例えば緯度・経度）を記憶するための位置データメモリ２２ｆ、例えば撮影画像に対応付けたタイトル、説明、詩などのコメントデータを記憶するためのコメントデータメモリ２２ｇが用意される。
【００６７】
次に、このように構成された第１実施形態の画像登録サービスシステムについて、その動作を説明する。
【００６８】
図６は前記第１実施形態の画像登録サービスシステムの通信情報機器２０Ａ〜２０Ｄによる俳句付き画像作成登録処理（その１）を示すフローチャートである。
【００６９】
図７は前記第１実施形態の画像登録サービスシステムの通信情報機器２０Ａ〜２０Ｄによる俳句付き画像作成登録処理（その２）を示すフローチャートである。
【００７０】
図８は前記第１実施形態の画像登録サービスシステムの画像サーバ１０によるサーバ処理を示すフローチャートである。
【００７１】
図９は前記第１実施形態のサーバ処理に伴う画像付き俳句登録処理を示すフローチャートである。
【００７２】
図１０は前記第１実施形態のサーバ処理に伴う俳句参照処理を示すフローチャートである。
【００７３】
図１１は前記第１実施形態のサーバ処理に伴う季語確認処理を示すフローチャートである。
【００７４】
図１２は前記第１実施形態の通信情報機器２０Ａ〜２０Ｄによる俳句付き画像作成登録処理に伴う第１の撮影画像に対する俳句の設定登録表示状態（その１）を示す図である。
【００７５】
図１３は前記第１実施形態の通信情報機器２０Ａ〜２０Ｄによる俳句付き画像作成登録処理に伴う第１の撮影画像に対する俳句の設定登録表示状態（その２）を示す図である。
【００７６】
図１４は前記第１実施形態の通信情報機器２０Ａ〜２０Ｄによる俳句付き画像作成登録処理に伴う第２の撮影画像に対する俳句の設定登録表示状態（その１）を示す図である。
【００７７】
図１５は前記第１実施形態の通信情報機器２０Ａ〜２０Ｄによる俳句付き画像作成登録処理に伴う第２の撮影画像に対する俳句の設定登録表示状態（その２）を示す図である。
【００７８】
図１６は前記第１実施形態の通信情報機器２０Ａ〜２０Ｄによる俳句付き画像作成登録処理に伴う第２の撮影画像に対する俳句の設定登録表示状態（その３）を示す図である。
【００７９】
カメラ付携帯電話２０Ａにおいて、撮影画像に俳句を対応付けて登録するために、図６における俳句付き画像作成処理が開始されると、画像サーバ１０へのアクセスに際して認証されるワークエリア２２ｄ内のユーザ名エリアにユーザ名が登録済みであるか否か判断される（ステップＳ１）。
【００８０】
ユーザ名が未登録であると判断された場合には、入力部２６からユーザ入力された名前のデータが前記ワークエリア２２ｄ内のユーザ名エリアに登録される（ステップＳ１→Ｓ２，Ｓ３）。
【００８１】
そして、ユーザ名が登録されたと判断された後、画像撮影部２９により画像の撮影入力が行われると（ステップＳ１→Ｓ４）、例えば図１２（Ａ）あるいは図１４（Ａ）に示すように、撮影画像Ｐｍが撮影画像データメモリ２２ｃに記憶されると共に表示部２７に表示される（ステップＳ５）。
【００８２】
この撮影画像について“ＯＫ”の指示（確定操作）が為されると、図１２（Ｂ）あるいは図１４（Ｂ）に示すように、前記撮影画像Ｐｍ・撮影日と共に「俳句自作」ａ１・「俳句参照」ａ２・「季語確認」ａ３・「ネット俳句写真集」ａ４の処理項目（メニュー）が表示され、ユーザによる当該処理項目の指定待機状態となる（ステップＳ６→Ｓ７）。
【００８３】
このように、撮影画像Ｐｍと共に表示された処理項目（メニュー）において、当該撮影画像Ｐｍに自作の俳句を対応付けするために「俳句自作」ａ１が指定されると、俳句の自作入力エリアａ１１（図１５（Ｅ）参照）が表示され（ステップＳ８→Ｓ９）、入力部２６による所望の俳句のユーザ入力表示状態となる（ステップＳ１０）。
【００８４】
そして、前記撮影画像Ｐｍに対応した俳句の自作による入力表示が行われ「画像俳句登録」ボタンａ８（図１５（Ｅ）参照）が指定操作されると、写真撮影者名および俳句作成者名が何れも登録ユーザ名に設定され、撮影画像Ｐｍ、撮影日、俳句の各データと共に、画像サーバ１０へアクセスされて送信される（ステップＳ１１）。
【００８５】
これに応じて、画像サーバ１０から当該画像サーバ１０にて管理されるネット俳句写真集に登録された旨の信号が受信されると（ステップＳ１２）、写真撮影者名および俳句作成者名が何れも登録ユーザ名として登録完了メッセージ「ネット俳句写真集に登録されました」（図１３（Ｈ）参照）が表示される（ステップＳ１４）。
【００８６】
一方、前記ステップＳ１１において画像サーバ１０へ送信された撮影画像Ｐｍに対応する季語が見つからない旨の信号が当該画像サーバ１０から受信されると（ステップＳ１３）、季語確認メッセージ「画像と対応する季語が見つかりません。季語確認を行ってください。」が表示される（ステップＳ１５）。
【００８７】
また、例えば図１２（Ｂ）に示すように、撮影画像Ｐｍ（雪化粧の富士山）、撮影日（９月１０日）と共に各処理項目ａ１〜ａ４が表示された状態で、画像サーバ１０に既に登録されている俳句を参照するために「俳句を参照」ａ２が指定されると（ステップＳ１６）、撮影画像Ｐｍおよび撮影日が画像サーバ１０へ送信される（ステップＳ１７）。
【００８８】
この画像サーバ１０へ送信された撮影画像Ｐｍ（雪化粧の富士山）とその撮影日（９月１０日）に適合して既に登録されている季語（富士の初雪）および俳句「帰りには富士の…」（含む作者名「藤○一郎」）とその登録画像Ｐｓ（別の雪化粧の富士山）（含む撮影者名「田○裕次」）が当該画像サーバ１０から読み出されて受信されると（ステップＳ１８）、図１２（Ｃ）に示すように、前記撮影画像Ｐｍ（雪化粧の富士山）およびその撮影日（９月１０日）に基づいて、画像サーバ１０から受信された季語（富士の初雪）および俳句「帰りには富士の…」とその登録画像Ｐｓ１（別の雪化粧の富士山）が俳句作者名「藤○一郎」および写真撮影者名「田○裕次」と共に表示される（ステップＳ１９）。この際、撮影画像Ｐｍとこれに適合した登録画像Ｐｓ１は、各画像中の季語「富士の初雪」の画像部分Ｅｍ，Ｅｓが点線により囲まれて表示される。
【００８９】
そして、前記撮影画像Ｐｍとその撮影日について、その他に適合する登録済みの季語や俳句を参照するための「季語」ボタンａ５および「俳句」ボタンａ６、さらに表示中の季語および俳句を指定して選択するための「選択」ボタンａ７が共に表示され、何れかの処理項目のユーザ指定待機状態となる（ステップＳ２０）。
【００９０】
そして、「季語」ボタンａ５または「俳句」ボタンａ６が指定操作されると（ステップＳ２１）、例えば図１２（Ｄ）に示すように、画像サーバ１０に既に登録されている他に適合した俳句「浮世絵のごとく初富士…」（含む作者名「伊○太郎」）とその登録画像Ｐｓ２（夜明けの富士山）（含む撮影者名「山○次郎」）が読み出されて受信され（ステップＳ１８）、前記同様に撮影画像Ｐｍ（雪化粧の富士山）およびその撮影日（９月１０日）と共に表示される（ステップＳ１９）。
【００９１】
こうして撮影画像Ｐｍおよびその撮影日に適合した登録済みの季語・俳句とその画像Ｐｓｎが俳句作者名および写真撮影者名と共に参照表示される状態で、例えば図１２（Ｃ）の参照表示状態において、当該参照表示されている季語「富士の初雪」と俳句「帰りには富士の…」を撮影画像Ｐｍ（雪化粧の富士山）に対応付けするために、「選択」ボタンａ７が指定操作されると、図１３（Ｅ）に示すように、当該表示中の撮影画像Ｐｍ（雪化粧の富士山）とその俳句「帰りには富士の…」を登録するための「画像俳句登録」ボタンａ８および参照表示されている俳句にさらに修正を加えるための「俳句修正」ボタンａ９が表示される。
【００９２】
そして、例えば図１３（Ｅ）に示すように、「画像俳句登録」ボタンａ８が指定操作されると（ステップＳ２４）、俳句作成者名については参照表示されている俳句の作成者名「藤○一郎」、写真撮影者名については当該撮影画像Ｐｍの撮影者である登録ユーザ名「井上○男」が設定され、撮影画像Ｐｍ、撮影日、俳句の各データと共に、画像サーバ１０へアクセスされて送信される（ステップＳ２５）。
【００９３】
これに応じて、画像サーバ１０から当該画像サーバ１０にて管理されるネット俳句写真集に登録された旨の信号が受信されると（ステップＳ１２）、例えば図１３（Ｆ）に示すように、写真撮影者名が登録ユーザ名「井上○男」、俳句作成者名が前記参照表示された俳句作者名「藤○一郎」として、登録完了メッセージ「ネット俳句写真集に登録されました」が表示される（ステップＳ１４）。
【００９４】
また、例えば図１３（Ｅ）で示したように、撮影画像Ｐｍ（雪化粧の富士山）およびその撮影日（９月１０日）に適合した登録済みの季語「富士の初雪」・俳句「帰りには富士の…」が俳句作者名「藤○一郎」と共に参照表示される状態において、「俳句修正」ボタンａ９が指定操作されると（ステップＳ２２）、図１３（Ｇ）に示すように、現在参照表示中の俳句が俳句修正エリアａ１０として表示され、入力部２６からのユーザ入力による修正表示状態となる（ステップＳ２３）。
【００９５】
そして、前記俳句修正エリアａ１０において、参照表示中の俳句がユーザ入力により所望の俳句「帰りには富士の…機上より」に修正され、「画像俳句登録」ボタンａ８が指定操作されると（ステップＳ２３）、写真撮影者名および俳句作成者名が何れも登録ユーザ名「井上○男」に設定され、撮影画像Ｐｍ（雪化粧の富士山）、撮影日（９月１０日）、俳句「帰りには富士の…機上より」の各データと共に、画像サーバ１０へアクセスされて送信される（ステップＳ１１）。
【００９６】
これに応じて、画像サーバ１０から当該画像サーバ１０にて管理されるネット俳句写真集に登録された旨の信号が受信されると（ステップＳ１２）、例えば図１３（Ｈ）に示すように、写真撮影者名および俳句作成者名が何れも登録ユーザ名「井上○男」として登録完了メッセージ「ネット俳句写真集に登録されました」が表示される（ステップＳ１４）。
【００９７】
また、例えば図１４（Ｂ）に示すように、撮影画像Ｐｍ（コスモス＋蝶）、撮影日（９月１０日）と共に各処理項目ａ１〜ａ４が表示された状態で、当該撮影画像Ｐｍおよびその撮影日に応じた季語を確認するために「季語確認」ａ３が指定されると（ステップＳ２６）、確認対象となる前記撮影画像Ｐｍ（コスモス＋蝶）およびその撮影日（９月１０日）のデータが画像サーバ１０にアクセスされて送信される（ステップＳ２７）。
【００９８】
するとこれに応じて、図１４（Ｃ）に示すように、撮影画像Ｐｍに含まれる季語（コスモス）（蝶）の各画像部分Ｅｍ１，Ｅｍ２の指定データおよび当該季語画像部分Ｅｍｎに各対応する季語「コスモス」「蝶」とその説明「秋９月…」「春４月…」のデータが画像サーバ１０から受信されて表示される（ステップＳ２８）。この際、確認表示された各季語「コスモス」「蝶」には、撮影画像Ｐｍ（コスモス＋蝶）およびその撮影日（９月１０日）について季節的な適合度合いに応じて○△×などの記号が付加表示される。
【００９９】
そして、前記撮影画像Ｐｍ（コスモス＋蝶）の季語画像部分Ｅｍｎ（コスモス）（蝶）に応じて表示された各対応する季語「コスモス」「蝶」のうち、ユーザ所望の季語「コスモス」が指定されると（ステップＳ２９）、当該ユーザ指定された撮影画像Ｐｍに対応する季語「コスモス」が確定され、前記図１４（Ｂ）で示したように、撮影画像Ｐｍ、撮影日と共に各処理項目ａ１〜ａ４が表示された状態に戻る。
【０１００】
ここで、画像サーバ１０に既に登録されている俳句を参照するために「俳句を参照」ａ２が指定されると（ステップＳ１６）、前記ステップＳ１７〜Ｓ２１の処理に従い、図１４（Ｄ）に示すように、撮影画像Ｐｍ（コスモス＋蝶）とその撮影日（９月１０日）に適合して既にサーバ登録されている前記確定された季語「コスモス」および俳句「コスモスの風…」（含む作者名「小○勇作」）とその登録画像Ｐｓ１（コスモス畑）（含む撮影者名「小○勇作」）が当該画像サーバ１０から読み出されて受信表示される。この際、撮影画像Ｐｍとこれに適合した登録画像Ｐｓ１は、各画像中の季語「コスモス」の画像部分Ｅｍ，Ｅｓが点線により囲まれて表示される。
【０１０１】
また、例えば図１５（Ｆ）に示すように、撮影画像Ｐｍ（コスモス＋蝶）、撮影日（９月１０日）と共に各処理項目ａ１〜ａ４が表示された状態で、画像サーバ１０に登録されたネット俳句写真集を閲覧するために「ネット俳句写真集」ａ４が指定されると（ステップＳ３０）、図１５（Ｇ）に示すように、「最新登録順に見る」ボタンａ１２、「季語指定して見る」ボタンａ１３が表示され、何れかの処理ボタンａ１２，ａ１３の入力待機状態となる（ステップＳ３１／Ｓ３７）。
【０１０２】
ここで、「季語指定して見る」ボタンａ１３が指定操作されると（ステップＳ３７）、例えば図１６（Ｈ）に示すように、季語の選択入力エリアａ１４が表示され、この季語選択入力エリアａ１４において写真集として見たい季語「コスモス」が選択入力されて指定されると（ステップＳ３８）、この指定された季語「コスモス」に対応付けられたネット俳句写真集の表示を依頼する信号が画像サーバ１０へ送信される（ステップＳ３９）。
【０１０３】
これに応じて、画像サーバ１０に登録されている前記指定の季語「コスモス」に対応付けられたネット俳句写真集のサムネイルデータが読み出され、このカメラ付携帯電話２０Ａに受信されると（ステップＳ４０）、図１６（Ｉ）に示すように、指定の季語「コスモス」に対応付けられた撮影画像の登録写真集Ｐｍ１，Ｐｍ２，…としてサムネイル表示される（ステップＳ４１）。
【０１０４】
そして、このサムネイル表示された写真集Ｐｍ１，Ｐｍ２，…の表示画面において、例えば図１６（Ｉ）に示すように、所望のサムネイル画像Ｐｍ２が指定されると（ステップＳ３５）、図１６（Ｊ）に示すように、当該指定されたサムネイル画像Ｐｍ２の拡大画像（白いコスモスのアップ）・撮影日（９月２日）・季語「コスモス」・俳句「一日ぢゅう…」・俳句作成者名「川野○子」・画像撮影者名「山本○次」が、画像サーバ１０から読み出されて受信表示される（ステップＳ３６）。
【０１０５】
また、前記図１５（Ｇ）で示したように、「最新登録順に見る」ボタンａ１２、「季語指定して見る」ボタンａ１３が表示された入力待機状態において、「最新登録順に見る」ボタンａ１２が指定操作されると（ステップＳ３１）、ネット俳句写真集の登録順の表示を依頼する信号が画像サーバ１０へ送信される（ステップＳ３２）。
【０１０６】
これに応じて、画像サーバ１０に登録されているネット俳句写真集の最新登録順のサムネイルデータが読み出され、このカメラ付携帯電話２０Ａに受信されると（ステップＳ３３）、当該登録順の撮影画像Ｐｍ１，Ｐｍ２，…としてサムネイル表示される（ステップＳ３４）。
【０１０７】
そして、このサムネイル表示された登録順写真集Ｐｍ１，Ｐｍ２，…の表示画面において、所望のサムネイル画像Ｐｍｎが指定されると（ステップＳ３５）、当該指定されたサムネイル画像Ｐｍｎの拡大画像・撮影日・季語・俳句・俳句作成者名・画像撮影者名が、画像サーバ１０から読み出されて受信表示される（ステップＳ３６）。
【０１０８】
次に、前記図６，図７のフローチャートを参照して説明した通信情報機器２０Ａ〜２０Ｄでの俳句付き画像作成登録処理に対応する画像サーバ１０側の動作について、図８〜図１１のフローチャートを参照して説明する。
【０１０９】
通信情報機器２０Ａ〜２０Ｄにおいて、例えば図１３（Ｅ）または図１３（Ｇ）または図１５（Ｅ）で示したように、撮影画像Ｐｍ、撮影日、季語、俳句、写真撮影者名、俳句作者名と共に表示された「画像俳句登録」ボタンａ８が指定操作されるのに応じて、当該通信情報機器２０Ａ〜２０Ｄからこの画像サーバ１０に対してアクセスが成され（ステップＡ１）、その撮影画像Ｐｍ、撮影日、俳句、写真撮影者名、俳句作者名の各データが受信されると（ステップＡ２）、図９における画像付き俳句登録処理に移行される（ステップＡＢ）。
【０１１０】
この画像付き俳句登録処理が起動されると、まず通信情報機器２０Ａ〜２０Ｄから受信された撮影画像Ｐｍ、撮影日、俳句、写真撮影者名、俳句作者名の各データがワークエリア１２ｅに保存され（ステップＢ１）、図１１における季語確認処理に移行される（ステップＢＤ）。
【０１１１】
この季語確認処理が起動されると、前記受信された撮影画像Ｐｍおよびその撮影日がワークエリア１２ｅに保存された後（ステップＤ１）、この撮影日に対応する季語が季節情報・季語テーブル１２ｄ（図４参照）に記憶されている各季節情報毎の季語の中から読み出されると共に（ステップＤ１ａ）、そのうちの最初の季語が指定される（ステップＤ２）。
【０１１２】
すると、この指定の季語に対応付けられて登録されている画像Ｎｏ．毎に、画像データメモリ１２ｃ（図３（Ｂ）参照）に記憶されている各画像それぞれの季語画像部分と前記受信保存された撮影画像Ｐｍとの類似度が順次算出され（ステップＤ３）、当該同一の季語に対応付けられた各画像の中で、その季語画像部分と受信撮影画像Ｐｍとの類似度が最も高い画像Ｎｏ．の類似度が季語画像類似度としてワークエリア１２ｅに保存される（ステップＤ４）。
【０１１３】
この後、前記季節情報・季語テーブル１２ｄ（図４参照）に記憶されている前記撮影日の季節情報に対応した全ての季語に対応付けられた画像のそれぞれについて、各季語毎に撮影画像Ｐｍとの最高の類似度が得られた画像Ｎｏ．の季語画像類似度が蓄積保存される（ステップＤ５→Ｄ３，Ｄ４）。
【０１１４】
すると、前記ワークエリア１２ｅに保存された季語画像類似度の中で、当該類似度が高い２つの季語が選択され（ステップＤ６）、その２つの季語画像類似度が近接したものか否か判断される（ステップＤ７）。
【０１１５】
ここで、前記撮影画像Ｐｍについて判断された上位２つの季語画像類似度が近接してないと判断された場合には、この２つの季語について、受信された撮影画像Ｐｍに含まれる季語とされ（ステップＤ７→Ｄ８）、類似度判定された撮影画像Ｐｍ上の２つの季語画像部分に対して点線による枠取りが設定される（ステップＤ９）。
【０１１６】
そして、当該撮影画像Ｐｍに含まれると判定された２つの季語の説明情報が季節情報・季語テーブル１２ｄから読み出される（ステップＤ１０）。
【０１１７】
一方、前記ワークエリア１２ｅに保存された季語画像類似度の中で、当該類似度が高い２つの季語として選択された、その２つの季語画像類似度が近接していると判断された場合には、当該類似度の高い（大きい）方の１つの季語について、受信された撮影画像Ｐｍに含まれる季語とされ（ステップＤ７→Ｄ１１）、類似度判定された撮影画像Ｐｍ上の１つの季語画像部分に対して点線による枠取りが設定される（ステップＤ９）。
【０１１８】
そして、当該撮影画像Ｐｍに含まれると判定された１つの季語の説明情報が季節情報・季語テーブル１２ｄから読み出される（ステップＤ１０）。
【０１１９】
こうして、季語確認処理（ステップＢＤ）が行われると、前記受信保存された俳句について、前記撮影画像Ｐｍに含まれる少なくとも１つの季語が含まれているか否か判断される（ステップＢ２）。
【０１２０】
ここで、前記受信保存された俳句について、前記撮影画像Ｐｍに含まれる少なくとも１つの季語が含まれていると判断された場合には、前記ワークエリア１２ｅに受信保存されている撮影画像Ｐｍ、撮影日、俳句、写真撮影者名、俳句作者名そして季語の各データが、季語別画像Ｎｏ・俳句データメモリ１２ｂ、画像データメモリ１２ｃ、季節情報・季語テーブル１２ｄに対応付けて記憶され、ネット俳句写真集として正式登録される（ステップＢ２→Ｂ３）。
【０１２１】
すると、前記受信された撮影画像Ｐｍと俳句がネット俳句写真集として正式登録された旨の通知信号が当該撮影画像Ｐｍと俳句の登録依頼元である通信情報機器２０Ａ〜２０Ｄへ送信される（ステップＢ４）。
【０１２２】
これにより、例えば通信情報機器２０Ａでは、図１３（Ｆ）または図１３（Ｈ）に示すように、前記画像サーバ１０へ登録依頼した撮影画像Ｐｍ、撮影日、季語・俳句、写真撮影者名、俳句作者名登録完了と共に、メッセージ「ネット俳句写真集に登録されました」が表示される（ステップＳ１２→Ｓ１４）。
【０１２３】
一方、前記受信保存された俳句について、前記撮影画像Ｐｍに含まれる少なくとも１つの季語が含まれていないと判断された場合には、俳句に季語が含まれていない旨の通知信号が当該撮影画像Ｐｍと俳句の登録依頼元である通信情報機器２０Ａ〜２０Ｄへ送信される（ステップＢ２→Ｂ５）。
【０１２４】
通信情報機器２０Ａ〜２０Ｄにおいて、例えば図１２（Ｂ）または図１４（Ｂ）で示したように、撮影画像Ｐｍ、撮影日と共に表示された処理項目「俳句参照」ａ２が指定操作されるのに応じて、当該通信情報機器２０Ａ〜２０Ｄからこの画像サーバ１０に対してアクセスが成され（ステップＡ１）、その撮影画像Ｐｍ、撮影日の各データが受信されると（ステップＡ３）、図１０における俳句参照処理に移行される（ステップＡＣ）。
【０１２５】
この俳句参照処理が起動されると、まず、前記図１１における季語確認処理が実行され、受信された撮影画像Ｐｍに含まれる季語とその説明情報が読み出される（ステップＣＤ）。
【０１２６】
例えば図１２（Ｂ）で示したように、カメラ付携帯電話２０Ａにおいて表示された撮影画像Ｐｍ（雪化粧の富士山）およびその撮影日（９月１０日）が、俳句参照のためにこの画像サーバ１０に受信された場合には、当該俳句参照処理の最初に実行される季語確認処理（ステップＣＤ）によって、撮影画像Ｐｍ（雪化粧の富士山）およびその撮影日（９月１０日）に応じた季語「富士の初雪」とその説明情報「秋９月」が読み出される。
【０１２７】
また、例えば図１４（Ｂ）で示したように、カメラ付携帯電話２０Ａにおいて表示された撮影画像Ｐｍ（コスモス＋蝶）およびその撮影日（９月１０日）が、俳句参照のためにこの画像サーバ１０に受信された場合には、当該俳句参照処理の最初に実行される季語確認処理（ステップＣＤ）によって、撮影画像Ｐｍ（コスモス＋蝶）およびその撮影日（９月１０日）に応じた２つの季語「コスモス」「蝶」とその説明情報「秋９月」「春４月」が読み出される。
【０１２８】
すると、撮影画像Ｐｍに応じた前記季語確認処理（ステップＣＤ）により高類似度判定された季語の画像に対応する画像Ｎｏ．が読み出される（ステップＣ１）。例えば図１２（Ｂ）で示した撮影画像Ｐｍ（雪化粧の富士山）およびその撮影日（９月１０日）に応じた季語「富士の初雪」の画像Ｎｏ．としては、Ｎｏ．３、Ｎｏ．４（図３・図４参照）が読み出され、また例えば図１４（Ｂ）で示した撮影画像Ｐｍ（コスモス＋蝶）およびその撮影日（９月１０日）に応じた季語「コスモス」の画像Ｎｏ．としては、Ｎｏ．２１（図３・図４参照）が読み出される。
【０１２９】
すると、前記撮影画像Ｐｍに含まれる季語画像に高類似の画像として読み出された画像Ｎｏ．それぞれの画像について、当該撮影画像Ｐｍと全体画像としての類似度が算出される（ステップＣ２）。
【０１３０】
そして、撮影画像Ｐｍに含まれる季語画像と同様の季語画像を有して最も高い全体画像類似度が算出された登録済みの画像に対応付けられている俳句のデータが季語別画像Ｎｏ・俳句データメモリ１２ｂ（図３（Ａ））から読み出され（ステップＣ３）、その季語別類似の登録済み画像と対応する俳句のデータが前記俳句参照依頼のあった通信情報機器２０Ａ〜２０Ｄへ送信される（ステップＣ４）。
【０１３１】
この際、例えば通信情報機器２０Ａでは、図１２（Ｃ）に示すように、撮影画像Ｐｍ（雪化粧の富士山）およびその撮影日（９月１０日）に基づいて、画像サーバ１０から受信された季語（富士の初雪）および俳句「帰りには富士の…」とその登録画像Ｐｓ１（別の雪化粧の富士山）が俳句作者名「藤○一郎」および写真撮影者名「田○裕次」と共に表示される（ステップＳ１８，Ｓ１９）。この際、撮影画像Ｐｍとこれに適合した登録画像Ｐｓ１は、各画像中の季語「富士の初雪」の画像部分Ｅｍ，Ｅｓが点線により囲まれて表示される。
【０１３２】
あるいは、図１４（Ｄ）に示すように、撮影画像Ｐｍ（コスモス＋蝶）とその撮影日（９月１０日）に基づいて、画像サーバ１０から受信された季語「コスモス」および俳句「コスモスの風…」（含む作者名「小○勇作」）とその登録画像Ｐｓ１（コスモス畑）（含む撮影者名「小○勇作」）が表示される（ステップＳ１８，Ｓ１９）。この際、撮影画像Ｐｍとこれに適合した登録画像Ｐｓ１は、各画像中の季語「コスモス」の画像部分Ｅｍ，Ｅｓが点線により囲まれて表示される。
【０１３３】
そして、通信情報機器２０Ａにおいて、例えば図１２（Ｃ）で示したように、撮影画像Ｐｍ（雪化粧の富士山）およびその撮影日（９月１０日）に基づいて、画像サーバ１０から受信された季語（富士の初雪）および俳句「帰りには富士の…」とその登録画像Ｐｓ１（別の雪化粧の富士山）が俳句作者名「藤○一郎」および写真撮影者名「田○裕次」と共に表示されている状態で、「俳句」ボタンａ６が指定操作されることに応じた次の俳句（次候補）の参照依頼の信号が、当該通信情報機器２０Ａから画像サーバ１０に受信されると（ステップＣ５）、撮影画像Ｐｍ（雪化粧の富士山）に含まれる季語画像と類似の季語画像を有して次に高い全体画像類似度が算出された登録済みの画像に対応付けられている俳句のデータが季語別画像Ｎｏ・俳句データメモリ１２ｂ（図３（Ａ））から読み出され、その季語別類似の登録済み画像と対応する俳句のデータが前記次の俳句（次候補）の参照依頼のあった通信情報機器２０Ａへ送信される（ステップＣ６）。
【０１３４】
これにより、通信情報機器２０Ａでは、例えば図１２（Ｄ）に示すように、画像サーバ１０から受信された次候補の俳句「浮世絵のごとく初富士…」（含む作者名「伊○太郎」）とその登録画像Ｐｓ２（夜明けの富士山）（含む撮影者名「山○次郎」）が、撮影画像Ｐｍ（雪化粧の富士山）およびその撮影日（９月１０日）と共に表示される（ステップＳ１８，Ｓ１９）。
【０１３５】
通信情報機器２０Ａ〜２０Ｄにおいて、例えば図１４（Ｂ）で示したように、撮影画像Ｐｍ、撮影日と共に表示された処理項目「季語確認」ａ３が指定操作されるのに応じて、当該通信情報機器２０Ａ〜２０Ｄからこの画像サーバ１０に対してアクセスが成され（ステップＡ１）、その撮影画像Ｐｍ、撮影日の各データが受信されると（ステップＡ４）、図１１における季語確認処理に移行される（ステップＡＤ）。
【０１３６】
この季語確認処理が起動されると、前述の画像付き俳句登録処理（ステップＡＢ）内で説明した季語確認処理（ステップＢＤ）、あるいは前述の俳句参照処理（ステップＡＣ）内で説明した季語確認処理（ステップＣＤ）と同様に、図１１における季語確認処理（ステップＤ１〜Ｄ１１）に従い、前記通信情報機器２０Ａ〜２０Ｄから受信された撮影画像Ｐｍに含まれる季語とその説明情報が読み出される。
【０１３７】
具体的には、例えば図１４（Ｂ）で示した撮影画像Ｐｍ（コスモス＋蝶）およびその撮影日（９月１０日）が受信されると、受信された撮影画像Ｐｍおよびその撮影日がワークエリア１２ｅに保存された後（ステップＤ１）、撮影日に対応して季節情報・季語テーブル１２ｄ（図４参照）に記憶されている季節情報の各季語が読み出され（ステップＤ１ａ）、そのうち最初の季語が指定される（ステップＤ２）。
【０１３８】
すると、この指定の季語「初日」に対応付けられて登録されている画像Ｎｏ．毎に、画像データメモリ１２ｃ（図３（Ｂ）参照）に記憶されている各画像それぞれの季語画像部分と前記受信保存された撮影画像Ｐｍとの類似度が順次算出され（ステップＤ３）、当該同一の季語に対応付けられた各画像の中で、その季語画像部分と受信撮影画像Ｐｍ（コスモス＋蝶）との類似度が最も高い画像Ｎｏ．の類似度が季語画像類似度としてワークエリア１２ｅに保存される（ステップＤ４）。
【０１３９】
この後、前記季節情報・季語テーブル１２ｄ（図４参照）に記憶されている撮影日対応の全ての季語に対応付けられた画像のそれぞれについて、各季語毎に撮影画像Ｐｍ（コスモス＋蝶）との最高の類似度が得られた画像Ｎｏ．の季語画像類似度が蓄積保存される（ステップＤ５→Ｄ３，Ｄ４）。
【０１４０】
すると、前記ワークエリア１２ｅに保存された季語画像類似度の中で、当該類似度が高い２つの季語（この場合「コスモス」「蝶」）が選択され（ステップＤ６）、その２つの季語画像類似度が近接したものか否か判断される（ステップＤ７）。
【０１４１】
この場合には、前記撮影画像Ｐｍ（コスモス＋蝶）について判断された上位２つの季語画像（「コスモス」「蝶」）の類似度は異なる種類の画像であるために近接してないと判断されるので、この２つの季語「コスモス」「蝶」について、受信された撮影画像Ｐｍ（コスモス＋蝶）に含まれる季語とされ（ステップＤ７→Ｄ８）、類似度判定された撮影画像Ｐｍ上の２つの季語画像部分（コスモス部分と蝶部分）に対して点線による枠取りが設定される（ステップＤ９）。
【０１４２】
そして、当該撮影画像Ｐｍ（コスモス＋蝶）に含まれると判定された２つの季語「コスモス」「蝶」の説明情報「秋９月」「春４月」が季節情報・季語テーブル１２ｄから読み出される（ステップＤ１０）。
【０１４３】
すると、前記撮影画像Ｐｍ（コスモス＋蝶）に対応する２つの季語画像部分（コスモス部分と蝶部分）の枠取り指定データと、その季語「コスモス」「蝶」および説明情報「秋９月」「春４月」が、前記季語確認依頼元の通信情報機器２０Ａへ送信される。
【０１４４】
これにより、通信情報機器２０Ａ〜２０Ｄでは、例えば図１４（Ｃ）で示したように、撮影画像Ｐｍに含まれる季語（コスモス）（蝶）の各画像部分Ｅｍ１，Ｅｍ２の指定データおよび当該季語画像部分Ｅｍｎに各対応する季語「コスモス」「蝶」とその説明「秋９月…」「春４月…」のデータが画像サーバ１０から受信されて表示される（ステップＳ２８）。この際、確認表示された各季語「コスモス」「蝶」には、撮影画像Ｐｍ（コスモス＋蝶）およびその撮影日（９月１０日）について季節的な適合度合いに応じて○△×などの記号が付加表示される。
【０１４５】
通信情報機器２０において、例えば図１５（Ｆ）に示したように、撮影画像Ｐｍ、撮影日と共に各処理項目ａ１〜ａ４が表示された状態で、画像サーバ１０に登録されたネット俳句写真集を閲覧するために「ネット俳句写真集」ａ４が指定され（ステップＳ３０）、さらに、図１５（Ｇ）で示したように、「最新登録順に見る」ボタンａ１２、「季語指定して見る」ボタンａ１３のうち、「最新登録順に見る」ボタンａ１２が指定操作されることで（ステップＳ３１）、ネット俳句写真集の登録順の表示を依頼する信号が当該通信情報機器２０Ａから画像サーバ１０に受信されると（ステップＡ６）、季語別画像Ｎｏ・俳句データメモリ１２ｂに記憶されている最新登録順の俳句にそれぞれ対応付けられた各画像のサムネイルデータが、画像データメモリ１２ｃから読み出されて、前記俳句写真集依頼元の通信情報機器２０Ａに送信される（ステップＡ７）。
【０１４６】
この際、通信情報機器２０Ａでは、前記画像サーバ１０から送信されたネット俳句写真集の最新登録順のサムネイルデータが受信され（ステップＳ３３）、当該登録順の撮影画像Ｐｍ１，Ｐｍ２，…としてサムネイル表示される（ステップＳ３４）。
【０１４７】
そして、この通信情報機器２０Ａにおいて、サムネイル表示された登録順写真集Ｐｍ１，Ｐｍ２，…の表示画面において、所望のサムネイル画像Ｐｍｎが指定されることで（ステップＳ３５）、当該指定信号が画像サーバ１０に受信されると（ステップＡ８）、当該指定されたサムネイル画像Ｐｍｎの拡大画像・撮影日・季語・俳句・俳句作成者名・画像撮影者名が、季語別画像Ｎｏ・俳句データメモリ１２ｂおよび画像データメモリ１２ｃから読み出されて、前記サムネイル指定元の通信情報機器２０Ａに送信される（ステップＡ９）。
【０１４８】
また、通信情報機器２０Ａにおいて、例えば図１５（Ｇ）で示したように、「最新登録順に見る」ボタンａ１２、「季語指定して見る」ボタンａ１３のうち、「季語指定して見る」ボタンａ１３が指定操作され（ステップＳ３７）、さらに図１６（Ｈ）で示したように、季語の選択入力エリアａ１４において写真集として見たい季語「コスモス」が選択入力されて指定されることで（ステップＳ３８）、この通信情報機器２０Ａからの指定季語「コスモス」に対応付けられたネット俳句写真集の表示を依頼する信号が画像サーバ１０Ａに受信されると（ステップＡ１０）、季語別画像Ｎｏ・俳句データメモリ１２ｂに記憶されている指定の季語「コスモス」に対応付けられた各画像Ｎｏ．それぞれの画像が、画像データメモリ１２ｃからネット俳句写真集のサムネイルデータとして読み出され、前記季語指定俳句写真集依頼元の通信情報機器２０Ａに送信される（ステップＡ１１）。
【０１４９】
この際、通信情報機器２０Ａでは、画像サーバ１０から送信された指定の季語「コスモス」に対応するネット俳句写真集のサムネイルデータが受信され（ステップＳ４０）、例えば図１６（Ｉ）で示したように、撮影画像の登録写真集Ｐｍ１，Ｐｍ２，…としてサムネイル表示される（ステップＳ４１）。
【０１５０】
そして、この通信情報機器２０Ａにおいて、サムネイル表示された指定季語写真集Ｐｍ１，Ｐｍ２，…の表示画面において、所望のコスモスのサムネイル画像Ｐｍ２が指定されることで（ステップＳ３５）、当該指定信号が画像サーバ１０に受信されると（ステップＡ８）、当該指定されたコスモスのサムネイル画像Ｐｍ２の拡大画像・撮影日（９月２日）・季語「コスモス」・俳句「一日中…」・俳句作成者名「川野○子」・画像撮影者名「山本○次」が、季語別画像Ｎｏ・俳句データメモリ１２ｂおよび画像データメモリ１２ｃから読み出されて、前記サムネイル指定元の通信情報機器２０Ａに送信される（ステップＡ９）。
【０１５１】
これにより通信情報機器２０Ａでは、例えば図１６（Ｊ）で示したように、指定のサムネイル画像Ｐｍ２の拡大画像（白いコスモスのアップ）・撮影日（９月２日）・季語「コスモス」・俳句「一日中…」・俳句作成者名「川野○子」・画像撮影者名「山本○次」が、画像サーバ１０から受信されて表示される（ステップＳ３６）。
【０１５２】
したがって、前記構成の第１実施形態の画像登録サービスシステムによれば、通信情報機器２０Ａ〜２０Ｄにおいて撮影した画像と撮影日のデータを画像サーバ１０に送信すると、画像サーバ１０では、受信された撮影日に基づき季語情報・季語テーブル１２ｄに記憶されている季語から該季語画像を含む登録済みの撮影画像が画像データメモリ１２ｃから読み出され、受信された撮影画像との類似度が算出されることで当該受信画像に対応する季語が判定される。そして、受信画像に対応する季語と画像に対応付けられて季語別画像Ｎｏ・俳句データメモリ１２ｂに登録済みの俳句が読み出され、当該季語・登録済み撮影画像・俳句のデータが前記通信情報機器２０Ａ〜２０Ｄに送信される。
【０１５３】
これにより通信情報機器２０Ａ〜２０Ｄでは、撮影画像とその撮影日に対応して画像サーバ１０から受信された季語・該季語の画像を含む登録済み撮影画像・俳句を表示参照して、自身の撮影画像に応じた俳句を選択あるいは修正して作成し、この撮影画像，撮影日と俳句のデータを画像サーバ１０に送信してその季語別画像Ｎｏ・俳句データメモリ１２ｂ，画像データメモリ１２ｃ，季語情報・季語テーブル１２ｄに登録できる。よって、所望の撮影画像に対して当該撮影画像と撮影日に応じた季語に基づいた俳句を非常に簡単に作成対応付けして登録することができ、容易に俳句付き写真集を作成することができる。
【０１５４】
そして、通信情報機器２０Ａ〜２０Ｄから画像サーバ１０に対して前記俳句付き写真集の表示依頼を最新登録順かまたは季語を指定して送信することで、画像サーバ１０では、最新登録順かまたは指定の季語に対応付けられた登録済みの撮影画像をサムネイルデータとして通信情報機器２０Ａ〜２０Ｄに送信し、表示させることができる。
【０１５５】
なお、前記第１実施形態では、通信情報機器２０Ａ〜２０Ｄのうちカメラ付携帯電話２０Ａを用いた場合の画像サーバ１０における画像登録サービス機能について説明したが、カメラ無携帯電話２０Ｂなどのように単独での画像撮影機能を持たない通信情報機器の場合には、外部から入力取得した所望の画像について、前記同様の処理に従い当該画像およびその撮影日の季語に応じた俳句を作成し、ユーザ自身の俳句付き撮影画像として画像サーバ１０に登録することができる。
【０１５６】
また、前記通信情報機器２０Ａ〜２０Ｄ以外にも、例えば通信機能付きの電子辞書によって画像サーバ１０とアクセスし、同様の処理を行う構成としてもよい。
【０１５７】
（第２実施形態）
この第２実施形態の画像登録サービスシステムにおいては、撮影画像とその撮影日時あるいは撮影場所（位置）に基づいたタイトル，コメント，詩などの関連文字列を、該撮影画像に簡単に対応付けして登録を行う。
【０１５８】
この第２実施形態の画像サーバ１０のＲＯＭ１２Ａには、撮影画像に対して当該画像の撮影日時や撮影場所に応じたコメントとを対応付けて登録する処理などを行うための位置画像処理プログラム１２ｆが記憶され、またＲＡＭ１２Ｂには、位置別画像・コメントデータメモリ１２ｇ（図１７参照）が用意される。
【０１５９】
図１７は前記画像サーバ１０のＲＡＭ１２Ｂに用意される位置別画像・コメントデータメモリ１２ｇに記憶されるデータの内容を示す図である。
【０１６０】
この位置別画像・コメントデータメモリ１２ｇには、例えば各地の主要な観光地点や景勝地において撮影された画像，撮影日時情報，撮影位置情報，説明の文字列データが対応付けられて記憶される。日時情報▲１▼としては該当画像が略同様に撮影される「日時の範囲」として記憶され、日時情報▲２▼としては該当画像が略同様に撮影される季節を意味する「月」として記憶される。
【０１６１】
また、この第２実施形態の通信情報機器（カメラ付携帯電話）２０ＡのＲＯＭ２２Ａには、撮影画像と当該画像の撮影日時や撮影場所に応じたコメントとを対応付けて登録するための端末用の位置画像処理プログラム２２ｅが記憶され、またＲＡＭ２２Ｂには、位置検出部５０により検出された現在位置データ（例えば緯度・経度）を記憶するための位置データメモリ２２ｆ、例えば撮影画像に対応付けたタイトル、説明、詩などのコメントデータを記憶するためのコメントデータメモリ２２ｇが用意される。
【０１６２】
次に、このように構成された第２実施形態の画像登録サービスシステムについて、その動作を説明する。
【０１６３】
図１８は前記第２実施形態の画像登録サービスシステムの通信情報機器２０Ａ〜２０Ｄによる画像コメント処理（その１）を示すフローチャートである。
【０１６４】
図１９は前記第２実施形態の画像登録サービスシステムの通信情報機器２０Ａ〜２０Ｄによる画像コメント処理（その２）を示すフローチャートである。
【０１６５】
図２０は前記第２実施形態の画像登録サービスシステムの画像サーバ１０による画像コメント処理を示すフローチャートである。
【０１６６】
図２１は前記第２実施形態の画像サーバ１０による画像コメント処理に伴う画像・コメント抽出処理を示すフローチャートである。
【０１６７】
図２２は前記第２実施形態の通信情報機器２０Ａ〜２０Ｄによる画像コメント処理に伴う第１の撮影画像に対するコメント設定登録表示状態（その１）を示す図である。
【０１６８】
図２３は前記第２実施形態の通信情報機器２０Ａ〜２０Ｄによる画像コメント処理に伴う第１の撮影画像に対するコメント設定登録表示状態（その２）を示す図である。
【０１６９】
図２４は前記第２実施形態の通信情報機器２０Ａ〜２０Ｄによる画像コメント処理に伴う第２の撮影画像に対するコメント設定登録表示状態（その１）を示す図である。
【０１７０】
図２５は前記第２実施形態の通信情報機器２０Ａ〜２０Ｄによる画像コメント処理に伴う第２の撮影画像に対するコメント設定登録表示状態（その２）を示す図である。
【０１７１】
カメラ付携帯電話２０Ａにおいて、撮影画像に対して関連する地名などのコメントを対応付けて登録するために、図１８における画像コメント処理が開始されると、画像サーバ１０へのアクセスに際して認証されるワークエリア２２ｄ内のユーザ名エリアにユーザ名が登録済みであるか否か判断される（ステップＥ１）。
【０１７２】
ユーザ名が未登録であると判断された場合には、入力部２６からユーザ入力された名前のデータが前記ワークエリア２２ｄ内のユーザ名エリアに登録される（ステップＥ１→Ｅ２，Ｅ３）。
【０１７３】
そして、ユーザ名が登録されたと判断された後、画像撮影部２９により画像の撮影入力が行われると（ステップＥ１→Ｅ４）、例えば図２２（Ａ）に示すように、撮影画像Ｐｍ（洋上撮影の富士山）が撮影画像データメモリ２２ｃに記憶されると共に表示部２７に表示される（ステップＥ５）。この際、ＣＰＵ２１にて計時されている現在の日付／時刻が撮影日時として検知される（ステップＥ６）。
【０１７４】
この撮影画像について“ＯＫ”の指示（確定操作）が為されると、位置検出部５０により検出された撮影位置の情報が位置データメモリ２２Ｂに記憶される（ステップＥ７→Ｅ８）。
【０１７５】
すると、図２２（Ｂ）に示すように、縮小した撮影画像Ｐｍ（洋上撮影の富士山）・撮影日時（９月１０日ｐｍ３：１０）・撮影位置情報（Ｅ１３８．４０／Ｎ３５．０８）と共に、当該撮影画像に対応付けるコメントを何に関連付けてサーチするかを指定するための「場所」ｂ１・「季節」ｂ２・「時間」ｂ３の処理項目（メニュー）が表示され、ユーザによる当該処理項目の指定待機状態となる（ステップＥ９）。
【０１７６】
このように、撮影画像Ｐｍ（洋上撮影の富士山）と共に表示された処理項目（メニュー）において、当該撮影画像Ｐｍに対応するコメントを例えば撮影した季節と時間に関連してサーチするために「季節」ｂ２・「時間」ｂ３の処理項目が選択指定されると（ステップＥ１０）、登録ユーザ名，撮影画像Ｐｍ（洋上撮影の富士山），撮影位置情報（Ｅ１３８．４０／Ｎ３５．０８），撮影日時（９月１０日ｐｍ３：１０），指定処理項目（季節・時間）のデータが画像サーバ１０にアクセスされて送信される（ステップＥ１１）。
【０１７７】
すると、これに応じて、画像サーバ１０にてサーチされた撮影画像Ｐｍ（洋上撮影の富士山）に対応する類似の画像Ｐｓ１（他の洋上撮影の富士山）とそのコメント「洋上からの富士山」が受信され、図２２（Ｃ）に示すように、撮影画像Ｐｍに並べて表示される（ステップＥ１２）。この際、撮影画像Ｐｍに対応する次のコメント（次候補）をサーチするか、現在サーチ表示されているコメントを選択するかを指定するための「選択」ボタンｂ４、「次」ボタンｂ５が共に表示される。
【０１７８】
そして、撮影画像Ｐｍに対応するさらに他のコメントをサーチ表示させるために、「次」ボタンｂ５が操作指定されると（ステップＥ１３，Ｅ１４）、当該次（次候補）サーチ表示の指示が画像サーバ１０に送信される（ステップＥ１５）。
【０１７９】
すると、これに応じて、例えば図２２（Ｄ）に示すように、画像サーバ１０にてサーチされた撮影画像Ｐｍ（洋上撮影の富士山）に対応する次に類似の画像Ｐｓ２（花畑で撮影の富士山）とそのコメント「そばの花と富士山」が受信され、撮影画像Ｐｍに並べて入れ替え表示される（ステップＥ１６）。
【０１８０】
さらに、撮影画像Ｐｍに対応する前のコメントを再度サーチ表示させるために、「前」ボタンｂ６が操作指定されると（ステップＥ１３，Ｅ１７）、当該前（前候補）サーチ表示の指示が画像サーバ１０に送信される（ステップＥ１８）。
【０１８１】
すると、これに応じて、例えば図２２（Ｅ）に示すように、画像サーバ１０にて再サーチされた撮影画像Ｐｍ（洋上撮影の富士山）に対応する前の類似の画像Ｐｓ１（他の洋上撮影の富士山）とそのコメント「洋上からの富士山」が再受信され、撮影画像Ｐｍに並べて再び入れ替え表示される（ステップＥ１９）。
【０１８２】
そして、このように撮影画像Ｐｍ（洋上撮影の富士山）に対応する類似の画像Ｐｓ１（他の洋上撮影の富士山）とそのコメント「洋上からの富士山」が受信表示された状態で、「選択」ボタンｂ４が操作指定されると（ステップＥ１３，Ｅ２０）、図２３（Ｆ）に示すように、表示中のコメントが修正入力エリアｂ７上に設定表示される（ステップＥ２１）。
【０１８３】
そして、例えば図２３（Ｇ）に示すように、修正入力エリアｂ７において入力部２６からのユーザ入力によりコメントの修正入力を行い、「洋上からの…（富士丸から撮影）」として修正表示されると、図２３（Ｈ）に示すように、現在表示中の撮影画像Ｐｍにコメントとを対応付けて保存するための「保存」ボタンｂ８が表示される。この「保存」ボタンｂ８が指定操作されると、現在表示中の撮影画像Ｐｍ（洋上撮影の富士山）とそのコメント「洋上からの…（富士丸から撮影）」が対応付けられて、ＲＡＭ２２Ｂ内に保存される（ステップＥ２２）。
【０１８４】
この際、例えば図２３（Ｉ）に示すように、撮影画像Ｐｍおよびそのコメントの対応登録を促すメッセージ「ネット画像サーバに登録しますか？」と共に「ネット登録」ボタンｂ９が表示され、この「ネット登録」ボタンｂ９が操作指定されると（ステップＥ２３）、登録ユーザ名，撮影画像Ｐｍ（洋上撮影の富士山），撮影位置情報（Ｅ１３８．４０／Ｎ３５．０８），撮影日時（９月１０日ｐｍ３：１０），指定項目（季節・時間），修正後コメント「洋上からの…（富士丸から撮影）」のデータが画像サーバ１０にアクセスされて送信される（ステップＥ２４）。
【０１８５】
すると、これに応じて画像サーバ１０に登録された今回の撮影画像（洋上撮影の富士山）とそのコメント「洋上からの…（富士丸から撮影）」を含んだ各登録画像と各コメントの一覧データＰｍ１，Ｐｍ２，…がサーバ１０から受信され、例えば図２３（Ｊ）に示すように一覧表示される（ステップＥ２５）。
【０１８６】
また、画像サーバ１０に登録されたネット写真集を閲覧するために、図示しない「ネット写真集」のボタンが操作指定されると（ステップＥ２６）、ネット写真集の表示を依頼する信号が画像サーバ１０へ送信される（ステップＥ２７）。
【０１８７】
これに応じて、画像サーバ１０に登録されているネット写真集の登録順のサムネイルデータ（含む対応コメント）が読み出され、このカメラ付携帯電話２０Ａに受信されると、当該登録順の撮影画像Ｐｍ１，Ｐｍ２，…とその各コメントがサムネイル表示される（ステップＥ２８）（図２３（Ｊ）参照）。
【０１８８】
そして、このサムネイル表示された登録写真集Ｐｍ１，Ｐｍ２，…の表示画面において、所望のサムネイル画像Ｐｍｎが指定されると（ステップＥ２９）、当該指定されたサムネイル画像Ｐｍｎの拡大画像・コメント・撮影日時・撮影位置情報が、画像サーバ１０から読み出されて受信表示される（ステップＥ３０）。
【０１８９】
次に、前記図１８，図１９のフローチャートを参照して説明した通信情報機器２０Ａ〜２０Ｄでの画像コメント処理に対応する画像サーバ１０側の動作について、図２０、図２１のフローチャートを参照して説明する。
【０１９０】
通信情報機器２０Ａ〜２０Ｄにおいて、例えば図２２（Ｂ）で示したように、撮影画像Ｐｍ（洋上撮影の富士山）、撮影位置情報（Ｅ１３８．４０／Ｎ３５．０８），撮影日時（９月１０日ｐｍ３：１０）と共に表示された指定項目「季節」ｂ２・「時間」ｂ３が指定操作されるのに応じて、当該通信情報機器２０Ａ〜２０Ｄからこの画像サーバ１０に対してアクセスが成され（ステップＦ１）、登録ユーザ名、撮影画像Ｐｍ、撮影位置情報、撮影日時、選択項目の各データが受信されると（ステップＦ２）、図２１における画像・コメントの抽出処理に移行される（ステップＦＧ）。
【０１９１】
この画像サーバ１０の画像・コメントの抽出処理では、まず、通信情報機器２０Ａから指定受信された選択項目に「場所」ｂ１が有るか否か判断され（ステップＧ１）、選択項目「場所」ｂ１の指定受信有りと判断された場合には、同受信された撮影位置情報（Ｅ１３８．４０／Ｎ３５．０８）に対し、位置別画像・コメントデータメモリ１２ｂ（図１７参照）に記憶されている各画像の位置情報の中で近い位置情報を有する画像（図１７（Ｂ）Ｎｏ．１１〜Ｎｏ．１５参照）およびそのコメントのデータが抽出される（ステップＧ２）。
【０１９２】
また、通信情報機器２０Ａから指定受信された選択項目に「季節」ｂ２が有るか否か判断され（ステップＧ３）、選択項目「季節」ｂ２の指定受信有りと判断された場合には、同受信された日時情報（９月１０日ｐｍ３：１０）に対し、前記位置情報が選択されている場合にはその位置情報に基づき抽出された各画像（図１７（Ｂ）Ｎｏ．１１〜Ｎｏ．１５参照）の日時情報▲２▼の中で近い「月」の画像（図１７（Ｂ）Ｎｏ．１２・Ｎｏ．１４参照）およびそのコメントのデータが抽出される（ステップＧ４）。
【０１９３】
また、通信情報機器２０Ａから指定受信された選択項目に「時間」ｂ３が有るか否か判断され（ステップＧ５）、選択項目「時間」ｂ３の指定受信有りと判断された場合には、同受信された日時情報（９月１０日ｐｍ３：１０）に対し、前記位置情報が選択されている場合にはその位置情報および日時情報「月」が選択されている場合にはさらにその日時情報「月」に基づき抽出された各画像（図１７（Ｂ）Ｎｏ．１２・Ｎｏ．１４参照）の日時情報▲１▼の中でさらに近い「時間」の画像（Ｎｏ．１２・Ｎｏ．１４）およびそのコメントのデータが抽出される（ステップＧ６）。
【０１９４】
すると、前記位置別画像・コメントデータメモリ１２ｂから「撮影位置情報」「撮影月」「撮影時刻」に基づき抽出された各画像（Ｎｏ．１２・Ｎｏ．１４）と前記通信情報機器２０Ａから受信された撮影画像Ｐｍとの類似度が計算され（ステップＧ７）、最も類似度の高い画像から順に所定数の画像が抽出される（ステップＧ８）。
【０１９５】
そして、前記撮影画像Ｐｍとの類似度の高い順に抽出された各画像のうちの最初の画像（例えばＮｏ１４）とそのコメント「洋上からの富士山」のデータが前記通信情報機器２０Ａへ送信される（ステップＦ３）。
【０１９６】
これにより通信情報機器２０Ａでは、画像サーバ１０にてサーチ送信された、撮影画像Ｐｍ（洋上撮影の富士山）に対応する最大類似画像Ｐｓ１（他の洋上撮影の富士山）とそのコメント「洋上からの富士山」が受信され、図２２（Ｃ）に示したように、撮影画像Ｐｍに並べて表示される（ステップＥ１２）。
【０１９７】
ここで通信情報機器２０Ａにおいて、撮影画像Ｐｍ（洋上撮影の富士山）に対応するさらに他のコメントをサーチ表示させるための「次」ボタンｂ５が操作指定されることで（ステップＥ１３，Ｅ１４）、当該次（次候補）サーチ表示の指示が送信されて画像サーバ１０に受信されると（ステップＦ４）、この画像サーバ１０では、前記撮影画像Ｐｍとの類似度の高い順に抽出された各画像のうちの次の画像（例えばＮｏ１２）とそのコメント「そばの花と富士山」のデータが前記通信情報機器２０Ａへ送信される（ステップＦ５）。
【０１９８】
これにより通信情報機器２０Ａでは、画像サーバ１０にてサーチ送信された、撮影画像Ｐｍ（洋上撮影の富士山）に対応する次に類似の画像Ｐｓ２（花畑で撮影の富士山）とそのコメント「そばの花と富士山」が受信され、図２２（Ｄ）で示したように、撮影画像Ｐｍに並べて入れ替え表示される（ステップＥ１６）。
【０１９９】
さらに通信情報機器２０Ａにおいて、撮影画像Ｐｍ（洋上撮影の富士山）に対応する前のコメントをサーチ表示させるための「前」ボタンｂ６が操作指定されることで（ステップＥ１３，Ｅ１７）、当該前（前候補）サーチ表示の指示が送信されて画像サーバ１０に受信されると（ステップＦ６）、この画像サーバ１０では、前記撮影画像Ｐｍとの類似度の高い順に抽出された各画像のうちの前の画像（例えばＮｏ１４）とそのコメント「洋上からの富士山」のデータが再び前記通信情報機器２０Ａへ送信される（ステップＦ７）。
【０２００】
これにより通信情報機器２０Ａでは、画像サーバ１０にて再びサーチ送信された、撮影画像Ｐｍ（洋上撮影の富士山）に対応する最大類似の画像Ｐｓ１（他の洋上撮影の富士山）とそのコメント「洋上からの富士山」が受信され、図２２（Ｅ）で示したように、撮影画像Ｐｍに並べて再び入れ替え表示される（ステップＥ１９）。
【０２０１】
また、通信情報機器２０Ａにおいて、例えば図２３（Ｉ）で示したように、撮影画像Ｐｍおよびそのコメントの対応登録を指示する「ネット登録」ボタンｂ９が操作指定されることで（ステップＥ２３）、当該通信情報機器２０Ａから送信された画像登録依頼と共に、登録ユーザ名，撮影画像Ｐｍ（洋上撮影の富士山），撮影位置情報（Ｅ１３８．４０／Ｎ３５．０８），撮影日時（９月１０日ｐｍ３：１０），指定項目（季節・時間），修正後コメント「洋上からの…（富士丸から撮影）」の各データが画像サーバ１０に受信されると（ステップＦ８→Ｆ９）、この画像サーバ１０では、登録ユーザに対応する位置別画像・コメントデータメモリ１２ｇに対して、前記受信された各データが登録される（ステップＦ１０）。
【０２０２】
そして、登録された今回の撮影画像（洋上撮影の富士山）とそのコメント「洋上からの…（富士丸から撮影）」を含んだ各登録画像と各コメントの最新登録順の一覧データＰｍ１，Ｐｍ２，…が画像登録依頼元の通信情報機器２０Ａに送信される（ステップＦ１２）。
【０２０３】
これにより、通信情報機器２０Ａでは、前記画像サーバ１０にて登録された今回の撮影画像（洋上撮影の富士山）とそのコメント「洋上からの…（富士丸から撮影）」を含んだ各登録画像と各コメントの最新登録順の一覧データＰｍ１，Ｐｍ２，…が受信され、例えば図２３（Ｊ）で示したように一覧表示される（ステップＥ２５）。
【０２０４】
また、通信情報機器２０Ａにおいて、前記画像サーバ１０に登録されたネット写真集を閲覧する際に、図示しない「ネット写真集」のボタンが操作指定されるのに応じて（ステップＥ２６）、当該通信情報機器２０Ａから送信されたネット写真集の表示を依頼する信号が画像サーバ１０に受信されると（ステップＦ１１）、この画像サーバ１０では、位置別画像・コメントデータメモリ１２ｇに記憶された最新登録順の各画像と各コメントの一覧データＰｍ１，Ｐｍ２，…が読み出され写真集依頼元の通信情報機器２０Ａに送信される（ステップＦ１２）。
【０２０５】
これにより通信情報機器２０Ａでは、前記画像サーバ１０から受信されたネット写真集の登録順の撮影画像Ｐｍ１，Ｐｍ２，…とその各コメントがサムネイル表示される（ステップＥ２８）（図２３（Ｊ）参照）。
【０２０６】
そして、この通信情報機器２０Ａにおいて、サムネイル表示された登録写真集Ｐｍ１，Ｐｍ２，…のうち、所望のサムネイル画像Ｐｍｎが指定されることで（ステップＥ２９）、その画像指定信号が送信されて画像サーバ１０に受信されると（ステップＦ１３）、画像サーバ１０では、当該指定されたサムネイル画像Ｐｍｎの拡大画像・コメント・撮影日時・撮影位置情報が、位置別画像・コメントデータメモリ１２ｇから読み出され、画像指定依頼のあった通信情報機器２０Ａへ送信される（ステップＦ１４）。
【０２０７】
これにより、通信情報機器２０Ａでは、前記画像サーバ１０から送信されて受信された指定の登録画像の拡大画像とそのコメントが表示される（ステップＥ３０）。
【０２０８】
なお、これまでの第２実施形態の画像登録サービスシステムによる画像コメント処理でのコメント設定登録表示状態では、図２２および図２３で示したように、撮影位置やその季節・時間に応じて見え方が異なる富士山などの自然の景勝地を通信情報機器２０Ａ〜２０Ｄで撮影した場合に、その撮影画像Ｐｍについての撮影位置情報（緯度・経度）と撮影日時情報（月・時刻）に基づき、当該撮影画像Ｐｍに類似の画像とそのコメントを、画像サーバ１０において位置別画像・コメントデータメモリ１２ｇから探し出し、撮影画像Ｐｍに対応付けるコメントの適切な候補として通信情報機器２０Ａ〜２０Ｄに送信して表示させるものとして説明したが、例えば図２４および図２５に示すように、撮影位置や時間に応じて見え方が異なるものの季節的には余り異ならない建物などの人工的物体を通信情報機器２０Ａ〜２０Ｄで撮影した場合には、その撮影画像Ｐｍについての撮影位置情報（緯度・経度）と撮影日時情報（時刻）だけに基づき、当該撮影画像Ｐｍに類似の画像とそのコメントを、画像サーバ１０において位置別画像・コメントデータメモリ１２ｇから探し出し、撮影画像Ｐｍに対応付けるコメントの適切な候補として通信情報機器２０Ａ〜２０Ｄに送信して表示させればよい。
【０２０９】
なお、この図２４および図２５において示しているコメント設定登録表示状態での撮影表示、類似画像とそのコメントデータのサーチ、次候補／前候補の指定表示、サーチコメントの修正入力、撮影画像とコメントデータとの対応付け保存・登録、ネット写真集の指定表示など、そのそれぞれの画像コメント処理手順については、前記図２２および図２３を参照して説明した場合と同様の処理手順であるため、その詳細な説明については省略する。
【０２１０】
したがって、前記構成の第２実施形態の画像登録サービスシステムによれば、通信情報機器２０Ａ〜２０Ｄにおいて撮影した画像と撮影位置・撮影日時のデータを画像サーバ１０に送信すると、画像サーバ１０では、受信された撮影位置・撮影日時に基づき位置別画像・コメントデータメモリ１２ｇに記憶されている類似の撮影位置・撮影日時・画像の登録済み画像とそのコメントデータが抽出され、当該登録済み撮影画像・コメントのデータが前記通信情報機器２０Ａ〜２０Ｄに送信される。
【０２１１】
これにより通信情報機器２０Ａ〜２０Ｄでは、撮影画像とその撮影位置・撮影日時に対応して画像サーバ１０から受信された類似の登録済み撮影画像とコメントを表示参照して、自身の撮影画像に対応付けたコメントを選択あるいは修正して作成し、この撮影画像，撮影位置，撮影日時とコメントのデータを画像サーバ１０に送信してその位置別画像・コメントデータメモリ１２ｇに新たに登録できる。よって、所望の撮影画像に対して当該撮影画像に応じたタイトル，説明，詩などのコメントを非常に簡単に作成対応付けして登録することができ、容易にコメント付き写真集を作成することができる。
【０２１２】
そして、通信情報機器２０Ａ〜２０Ｄから画像サーバ１０に対して前記コメント付き写真集の表示依頼を指定して送信することで、画像サーバ１０では、最新登録順に対応付けられた登録済みの撮影画像とそのコメントをサムネイルデータとして通信情報機器２０Ａ〜２０Ｄに送信し、表示させることができる。
【０２１３】
なお、前記第２実施形態では、通信情報機器２０Ａ〜２０Ｄのうちカメラ付携帯電話２０Ａを用いた場合の画像サーバ１０における画像登録サービス機能について説明したが、カメラ無携帯電話２０Ｂなどのように単独での画像撮影機能を持たない通信情報機器の場合には、外部から入力取得した所望の画像について、前記同様の処理に従い当該画像およびそのコメントを作成し、ユーザ自身のコメント付き撮影画像として画像サーバ１０に登録することができる。
【０２１４】
なお、前記第１および第２実施形態において記載した通信情報機器２０Ａ〜２０Ｄ、画像サーバ１０による各処理の手法、すなわち、図６，図７のフローチャートに示す第１実施形態の通信情報機器２０Ａ〜２０Ｄによる俳句付き画像作成登録処理、図８のフローチャートに示す第１実施形態の画像サーバ１０によるサーバ処理、図９のフローチャートに示す前記サーバ処理に伴う画像付き俳句登録処理、図１０のフローチャートに示す前記サーバ処理に伴う俳句参照処理、図１１のフローチャートに示す前記サーバ処理に伴う季語確認処理、図１８，図１９のフローチャートに示す第２実施形態の通信情報機器２０Ａ〜２０Ｄによる画像コメント処理、図２０のフローチャートに示す第２実施形態の画像サーバ１０による画像コメント処理、図２１のフローチャートに示す前記画像コメント処理に伴う画像・コメントの抽出処理などの各手法は、何れもコンピュータに実行させることができるプログラムとして、メモリカード（ＲＯＭカード、ＲＡＭカード、ＤＡＴＡ・ＣＡＲＤ等）、磁気ディスク（フロッピディスク、ハードディスク等）、光ディスク（ＣＤ−ＲＯＭ、ＤＶＤ等）、半導体メモリ等の外部記録媒体１３，２３に格納して配布することができる。そして、通信ネットワーク（インターネット）Ｎとの通信機能を備えた種々のコンピュータは、この外部記録媒体１３，２３に記憶されたプログラムを記録媒体読取部１４，２４によってメモリ１２，２２に読み込み、この読み込んだプログラムによって動作が制御されることにより、前記各実施形態において説明した撮影画像とその関連文字列情報との登録サービス機能を実現し、前述した手法による同様の処理を実行することができる。
【０２１５】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述した撮影画像とその関連文字列情報との登録サービス機能を実現することもできる。
【０２１６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０２１７】
【発明の効果】
以上のように、本発明の請求項１に係る画像サーバによれば、季語を含む俳句文字列と画像とを対応付けて複数記憶する俳句画像記憶手段を有し、画像受信手段により外部の通信機器から送信された画像が受信されると、この受信された画像についての日付情報が日付取得手段により取得されると共に、この取得された日付情報に対応する季語が季語記憶手段により記憶された季語の中から季語読み出し手段により読み出される。すると、この読み出された季語に対応して前記俳句画像記憶手段により記憶されている画像が季語画像読み出し手段により読み出され、この読み出された季語に対応する画像の中から前記受信画像に類似する季語対応画像が画像抽出手段により抽出される。そして、この抽出された季語対応画像に対応付けられた俳句文字列が前記俳句画像記憶手段により記憶された複数の俳句文字列の中から読み出され、俳句文字列送信手段によって前記通信機器に送信される。これにより、カメラ付携帯電話などの通信機器から受信された撮影画像について、その日付に対応する季語を含む俳句文字列に対応付けられた画像が読み出されると共に、この季語対応画像の中から受信画像に類似の画像が抽出され、この抽出された季語対応画像に対応付けられた俳句文字列が前記受信画像に対応する季語の俳句文字列として通信機器に送信されるので、通信機器ではその撮影画像に対応する季語の俳句文字列を簡単に参照できるようになる。
【０２１８】
また、本発明の請求項２に係る画像サーバによれば、前記請求項１に係る画像サーバにあって、画像抽出手段により抽出された季語対応画像と共に、当該季語対応画像に対応付けられた俳句文字列が前記俳句画像記憶手段により記憶された複数の俳句文字列の中から読み出され、俳句文字列送信手段によって通信機器に送信されるので、通信機器ではその撮影画像に対応する季語の俳句文字列とその季語対応画像とを簡単に参照できるようになる。
【０２１９】
また、本発明の請求項３に係る画像サーバによれば、前記請求項１または請求項２に係る画像サーバにあって、さらに、前記俳句文字列送信手段により通信機器に送信された俳句文字列について、俳句選択受信手段により当該通信機器から選択情報が受信されると、この受信選択情報にて選択された俳句文字列が前記画像受信手段により受信された画像と対応付けられて、受信画像登録手段によって前記俳句画像記憶手段により複数記憶される俳句文字列と画像の１つとして登録されるので、通信機器でその撮影画像に対応する季語の俳句文字列を簡単に参照そして選択された俳句文字列を該画像に対応付けてサーバで登録できるようになる。
【０２２０】
また、本発明の請求項４に係る画像サーバによれば、前記請求項１乃至請求項３の何れか１項に係る画像サーバにあって、前記画像抽出手段では、前記季語画像読み出し手段により読み出された季語に対応する画像の中からその季語画像部分について前記画像受信手段により受信された画像に類似する季語対応画像が抽出される。これにより、受信画像の日付に対応した季語を含む俳句文字列を対応付けた画像の中から、その季語の画像部分について前記受信画像に類似しているとされる季語対応画像が抽出されるので、確実に受信画像に対応する季語の画像部分を有する季語対応画像から、これに対応付けられた俳句文字列を通信機器へ送信できるようになる。
【０２２１】
また、本発明の請求項５に係る画像サーバによれば、前記請求項１乃至請求項３の何れか１項に係る画像サーバにあって、前記画像抽出手段では、まず第１の画像抽出手段により、前記季語画像読み出し手段により読み出された季語に対応する画像の中からその季語画像部分について前記画像受信手段により受信された画像に類似する季語対応画像が抽出され、第２の画像抽出手段により、前記第１の画像抽出手段により抽出された、季語対応画像の全体画像を対象として前記画像受信手段により受信された画像に類似する季語対応画像が抽出される。これにより、受信画像の日付に対応した季語を含む俳句文字列を対応付けた画像の中から、その季語の画像部分について前記受信画像に類似しているとされる季語対応画像が抽出され、さらに、この季語の画像部分について類似しているとして抽出された季語対応画像の全体画像を対象として前記受信画像に類似しているとされる季語対応画像が抽出されるので、より確実に受信画像に対応する季語の画像部分を有し且つ全体としても類似する季語対応画像から、これに対応付けられた俳句文字列を通信機器へ送信できるようになる。
【０２２２】
また、本発明の請求項６に係る画像サーバによれば、前記請求項４または請求項５に係る画像サーバにあって、さらに、前記画像抽出手段によって、前記季語画像読み出し手段により読み出された季語に対応する画像の中からその季語画像部分について前記画像受信手段により受信された画像に類似する季語対応画像を抽出した際には、枠設定手段により当該季語対応画像の季語画像部分と類似した受信画像の中の季語画像部分に枠が設定され、この枠設定により受信画像の中の季語画像部分に対応して設定された枠の情報が枠情報送信手段によって前記通信機器へ送信されるので、通信機器では、その撮影画像中の季語画像部分に枠を設定して表示できるようになる。
【０２２３】
また、本発明の請求項７に係る画像サーバによれば、前記請求項４乃至請求項６の何れか１項に係る画像サーバにあって、さらに、前記画像抽出手段により抽出された季語対応画像に対応する季語が季語送信手段によって前記通信機器へ送信されるので、通信機器では、その撮影画像に対応する季語を容易に知ることができることになる。
【０２２４】
また、本発明の請求項８に係る画像サーバによれば、前記請求項７に記載の画像サーバにあって、前記季語記憶手段には、日付情報に対応する季語およびその説明情報が記憶され、前記画像抽出手段により抽出された季語対応画像に対応する季語およびその説明情報が季語送信手段によって前記通信機器へ送信されるので、通信機器では、その撮影画像に対応する季語およびその説明情報を容易に知ることができるようになる。
【０２２５】
また、本発明の請求項９に係る画像サーバによれば、前記請求項１乃至請求項９の何れか１項に係る画像サーバにあって、指定季語受信手段により外部の通信機器から季語の指定情報が受信されると、この受信された指定の季語に対応して、前記俳句画像記憶手段により記憶された当該指定の季語を含む俳句文字列と画像が読み出され指定季語俳句画像送信手段により前記通信機器へ送信されるので、通信機器からの季語の指定によって、当該指定の季語を含む俳句文字列とその対応画像が通信機器に送信され、当該通信機器にて季語を指定した登録画像およびその俳句を閲覧できるようになる。
【０２２６】
また、本発明の請求項１０に係る画像サーバによれば、画像を位置情報に対応付けて複数記憶する画像位置情報記憶手段と、この画像位置情報記憶手段により記憶された各画像に対応付けて関連する文字列を記憶する関連文字列記憶手段とを有し、画像位置情報受信手段により外部の通信機器から画像および位置情報が受信されると、前記画像位置情報記憶手段により記憶された画像のうち、前記画像位置情報受信手段により受信された位置情報に対応する画像であって、且つ受信された画像に類似する画像が画像抽出手段により抽出される。そして、この画像抽出手段により抽出された画像に対応付けられて前記関連文字列記憶手段により記憶された関連文字列が読み出され、関連文字列送信手段により前記通信機器に送信されるので、通信機器において取得された例えば撮影位置に固有の画像に対し対応付けるための関連する文字列を、画像サーバから簡単に取り込んで参照できるようになる。
【０２２７】
また、本発明の請求項１１に係る画像サーバによれば、前記請求項１０に係る画像サーバにあって、さらに、前記関連文字列送信手段により通信機器に送信された関連文字列について、選択受信手段により当該通信機器から選択情報が受信されると、この受信選択情報にて選択された関連文字列が前記画像位置情報受信手段により受信された画像と対応付けられて、受信画像登録手段によって前記画像位置情報記憶手段により複数記憶される画像と位置情報および前記関連文字列記憶手段により記憶される関連する文字列の１つとして登録されるので、通信機器ではその撮影位置に応じた画像に対応する関連文字列を簡単に参照そして選択して該画像に対応付けて登録できるようになる。
【０２２８】
また、本発明の請求項１２に係る画像サーバによれば、画像を日時情報に対応付けて複数記憶する画像日時情報記憶手段と、この画像日時情報記憶手段により記憶された各画像に対応付けて関連する文字列を記憶する関連文字列記憶手段とを有し、画像日時情報受信手段により外部の通信機器から画像および日時情報が受信されると、前記画像日時情報記憶手段により記憶された画像のうち、前記画像日時情報受信手段により受信された日時情報に対応する画像であって、且つ受信された画像に類似する画像が画像抽出手段により抽出される。そして、この画像抽出手段により抽出された画像に対応付けられて前記関連文字列記憶手段により記憶された関連文字列が読み出され、関連文字列送信手段により前記通信機器に送信されるので、通信機器において取得された例えば撮影日時に特有の画像に対し対応付けるための関連する文字列を、画像サーバから簡単に取り込んで参照できるようになる。
【０２２９】
また、本発明の請求項１３に係る画像サーバによれば、前記請求項１２に係る画像サーバにあって、さらに、前記関連文字列送信手段により通信機器に送信された関連文字列について、選択受信手段により当該通信機器から選択情報が受信されると、この受信選択情報にて選択された関連文字列が前記画像日時情報受信手段により受信された画像と対応付けられて、受信画像登録手段によって前記画像日時情報記憶手段により複数記憶される画像と日時情報および前記関連文字列記憶手段により記憶される関連する文字列の１つとして登録されるので、通信機器でその撮影日時に応じた画像に対応する関連文字列を簡単に参照そして選択して該画像に対応付けてサーバに登録できるようになる。
【０２３０】
また、本発明の請求項１４に係る画像サーバによれば、前記請求項１０乃至請求項１３の何れか１項に係る画像サーバにあって、画像抽出手段により抽出された画像と共に、当該画像に対応付けられた関連文字列が前記関連文字列記憶手段により記憶された関連文字列の中から読み出され、関連文字列送信手段によって通信機器に送信されるので、通信機器において取得された画像に対し対応付けるための関連する文字列とその登録済み画像とを簡単に参照できるようになる。
【０２３１】
また、本発明の請求項１５に係る画像サーバ制御プログラムによれば、当該プログラムを画像サーバのコンピュータにインストールすることで、この画像サーバのコンピュータにおいて、季語を含む俳句文字列と画像とを対応付けて複数記憶する俳句画像記憶手段を有し、画像受信手段により外部の通信機器から送信された画像が受信されると、この受信された画像についての日付情報が日付取得手段により取得されると共に、この取得された日付情報に対応する季語が季語記憶手段により記憶された季語の中から季語読み出し手段により読み出される。すると、この読み出された季語に対応して前記俳句画像記憶手段により記憶されている画像が季語画像読み出し手段により読み出され、この読み出された季語に対応する画像の中から前記受信画像に類似する季語対応画像が画像抽出手段により抽出される。そして、この抽出された季語対応画像に対応付けられた俳句文字列が前記俳句画像記憶手段により記憶された複数の俳句文字列の中から読み出され、俳句文字列送信手段によって前記通信機器に送信される。これにより、画像サーバでは、カメラ付携帯電話などの通信機器から受信された撮影画像について、その日付に対応する季語を含む俳句文字列に対応付けられた画像が読み出されると共に、この季語対応画像の中から受信画像に類似の画像が抽出され、この抽出された季語対応画像に対応付けられた俳句文字列が前記受信画像に対応する季語の俳句文字列として通信機器に送信されるので、通信機器ではその撮影画像に対応する季語の俳句文字列を簡単に参照できるようになる。
【０２３２】
また、本発明の請求項１６に係る画像サーバ制御プログラムによれば、当該プログラムを画像サーバのコンピュータにインストールすることで、この画像サーバのコンピュータにおいて、画像を位置情報に対応付けて複数記憶する画像位置情報記憶手段と、この画像位置情報記憶手段により記憶された各画像に対応付けて関連する文字列を記憶する関連文字列記憶手段とを有し、画像位置情報受信手段により外部の通信機器から画像および位置情報が受信されると、前記画像位置情報記憶手段により記憶された画像のうち、前記画像位置情報受信手段により受信された位置情報に対応する画像であって、且つ受信された画像に類似する画像が画像抽出手段により抽出される。そして、この画像抽出手段により抽出された画像に対応付けられて前記関連文字列記憶手段により記憶された関連文字列が読み出され、関連文字列送信手段により前記通信機器に送信されるので、通信機器において取得された例えば撮影位置に固有の画像に対し対応付けるための関連する文字列を、画像サーバから簡単に取り込んで参照できるようになる。
【０２３３】
また、本発明の請求項１７に係る画像サーバ制御プログラムによれば、当該プログラムを画像サーバのコンピュータにインストールすることで、この画像サーバのコンピュータにおいて、画像を日時情報に対応付けて複数記憶する画像日時情報記憶手段と、この画像日時情報記憶手段により記憶された各画像に対応付けて関連する文字列を記憶する関連文字列記憶手段とを有し、画像日時情報受信手段により外部の通信機器から画像および日時情報が受信されると、前記画像日時情報記憶手段により記憶された画像のうち、前記画像日時情報受信手段により受信された日時情報に対応する画像であって、且つ受信された画像に類似する画像が画像抽出手段により抽出される。そして、この画像抽出手段により抽出された画像に対応付けられて前記関連文字列記憶手段により記憶された関連文字列が読み出され、関連文字列送信手段により前記通信機器に送信されるので、通信機器において取得された例えば撮影日時に特有の画像に対し対応付けるための関連する文字列を、画像サーバから簡単に取り込んで参照できるようになる。
【０２３４】
よって、本発明によれば、撮影などにより得られた画像に対して当該画像に応じた文字列情報を簡単に対応付けして管理することが可能になる。
【図面の簡単な説明】
【図１】本発明の実施形態に係る画像サーバ１０を備えた画像登録サービスシステムの全体の構成を示すブロック図。
【図２】前記画像登録サービスシステムにおける画像サーバ１０の電子回路の構成を示すブロック図。
【図３】前記画像サーバ１０のＲＡＭ１２Ｂに用意される季語別画像Ｎｏ．俳句データメモリ１２ｂおよび画像データメモリ１２ｃのそれぞれに記憶されるデータの内容を示す図。
【図４】前記画像サーバ１０のＲＡＭ１２Ｂに用意される季節情報・季語テーブル１２ｄに記憶されるデータの内容を示す図。
【図５】前記画像登録サービスシステムにおける通信情報機器（カメラ付携帯電話）２０Ａの電子回路の構成を示すブロック図。
【図６】前記第１実施形態の画像登録サービスシステムの通信情報機器２０Ａ〜２０Ｄによる俳句付き画像作成登録処理（その１）を示すフローチャート。
【図７】前記第１実施形態の画像登録サービスシステムの通信情報機器２０Ａ〜２０Ｄによる俳句付き画像作成登録処理（その２）を示すフローチャート。
【図８】前記第１実施形態の画像登録サービスシステムの画像サーバ１０によるサーバ処理を示すフローチャート。
【図９】前記第１実施形態のサーバ処理に伴う画像付き俳句登録処理を示すフローチャート。
【図１０】前記第１実施形態のサーバ処理に伴う俳句参照処理を示すフローチャート。
【図１１】前記第１実施形態のサーバ処理に伴う季語確認処理を示すフローチャート。
【図１２】前記第１実施形態の通信情報機器２０Ａ〜２０Ｄによる俳句付き画像作成登録処理に伴う第１の撮影画像に対する俳句の設定登録表示状態（その１）を示す図。
【図１３】前記第１実施形態の通信情報機器２０Ａ〜２０Ｄによる俳句付き画像作成登録処理に伴う第１の撮影画像に対する俳句の設定登録表示状態（その２）を示す図。
【図１４】前記第１実施形態の通信情報機器２０Ａ〜２０Ｄによる俳句付き画像作成登録処理に伴う第２の撮影画像に対する俳句の設定登録表示状態（その１）を示す図。
【図１５】前記第１実施形態の通信情報機器２０Ａ〜２０Ｄによる俳句付き画像作成登録処理に伴う第２の撮影画像に対する俳句の設定登録表示状態（その２）を示す図。
【図１６】前記第１実施形態の通信情報機器２０Ａ〜２０Ｄによる俳句付き画像作成登録処理に伴う第２の撮影画像に対する俳句の設定登録表示状態（その３）を示す図。
【図１７】前記画像サーバ１０のＲＡＭ１２Ｂに用意される位置別画像・コメントデータメモリ１２ｇに記憶されるデータの内容を示す図。
【図１８】前記第２実施形態の画像登録サービスシステムの通信情報機器２０Ａ〜２０Ｄによる画像コメント処理（その１）を示すフローチャート。
【図１９】前記第２実施形態の画像登録サービスシステムの通信情報機器２０Ａ〜２０Ｄによる画像コメント処理（その２）を示すフローチャート。
【図２０】前記第２実施形態の画像登録サービスシステムの画像サーバ１０による画像コメント処理を示すフローチャート。
【図２１】前記第２実施形態の画像サーバ１０による画像コメント処理に伴う画像・コメント抽出処理を示すフローチャート。
【図２２】前記第２実施形態の通信情報機器２０Ａ〜２０Ｄによる画像コメント処理に伴う第１の撮影画像に対するコメント設定登録表示状態（その１）を示す図。
【図２３】前記第２実施形態の通信情報機器２０Ａ〜２０Ｄによる画像コメント処理に伴う第１の撮影画像に対するコメント設定登録表示状態（その２）を示す図。
【図２４】前記第２実施形態の通信情報機器２０Ａ〜２０Ｄによる画像コメント処理に伴う第２の撮影画像に対するコメント設定登録表示状態（その１）を示す図。
【図２５】前記第２実施形態の通信情報機器２０Ａ〜２０Ｄによる画像コメント処理に伴う第２の撮影画像に対するコメント設定登録表示状態（その２）を示す図。
【符号の説明】
１０  …画像サーバ
２０Ａ…カメラ付携帯電話（通信情報機器）
２０Ｂ…カメラ無携帯電話（通信情報機器）
２０Ｃ…ＰＤＡ（通信情報機器）
２０Ｄ…ＰＣ（通信情報機器）
１１、２１…ＣＰＵ
１２、２２…メモリ
１２Ａ、２２Ａ…ＲＯＭ
１２Ｂ、２２Ｂ…ＲＡＭ
１２ａ…俳句画像処理プログラム
１２ｂ…季語別画像Ｎｏ・俳句データメモリ
１２ｃ…画像データメモリ
１２ｄ…季語情報・季語テーブル
１２ｅ、２２ｄ…ワークエリア
１２ｆ…位置画像処理プログラム
１２ｇ…位置別画像・コメントデータメモリ
２２ａ…俳句画像処理プログラム（端末用）
２２ｂ…自作俳句データメモリ
２２ｃ…撮影画像データメモリ
２２ｅ…位置画像処理プログラム（端末用）
２２ｆ…位置データメモリ
２２ｇ…コメントデータメモリ
１３、２３…外部記録媒体
１４、２４…記録媒体読取部
１５  …電送制御部
１６、２６…入力部
１７、２７…表示部
２５…携帯通信部
２８…近距離通信部
２９…画像撮影部（デジタルカメラ）
３０  …通信基地局
４０  …ホットスポット（近距離無線通信装置）
【図１】
2004240579.tif 000003
【図２】
2004240579.tif 000004
【図３】
2004240579.tif 000005
【図４】
2004240579.tif 000006
【図５】
2004240579.tif 000007
【図６】
2004240579.tif 000008
【図７】
2004240579.tif 000009
【図８】
2004240579.tif 000010
【図９】
2004240579.tif 000011
【図１０】
2004240579.tif 000012
【図１１】
2004240579.tif 000013
【図１２】
2004240579.tif 000014
【図１３】
2004240579.tif 000015
【図１４】
2004240579.tif 000016
【図１５】
2004240579.tif 000017
【図１６】
2004240579.tif 000018
【図１７】
2004240579.tif 000019
【図１８】
2004240579.tif 000020
【図１９】
2004240579.tif 000021
【図２０】
2004240579.tif 000022
【図２１】
2004240579.tif 000023
【図２２】
2004240579.tif 000024
【図２３】
2004240579.tif 000025
【図２４】
2004240579.tif 000026
【図２５】
2004240579.tif 000027